(57)【特許請求の範囲】
【請求項１】
明像と暗像とからなる像を所定の画角で投影する投影部と、
ドアの位置を検出する位置検出部と、
前記位置検出部が検出した前記ドアの位置を用いて前記ドアの面を前記明像の投影される位置とし前記ドアの移動前の位置であって人や物が通過する範囲を前記暗像の投影される位置として前記投影部に設定する設定部とを備える
投影装置。
【請求項２】
前記設定部は、前記ドアの面の一部である第１部を明像の投影される位置として前記投影部に設定し、且つ、前記ドアの面において前記第１部以外を暗像の投影される位置として前記投影部に設定する
請求項１に記載の投影装置。
【請求項３】
前記設定部は、前記ドアの面の一部を像の投影されない位置として前記投影部に設定する
請求項１又は２に記載の投影装置。
【請求項４】
前記投影部は、前記ドアに並設された固定体であるフィックスの面にさらに像を投影可能に構成され、
前記設定部は、前記フィックスの面の一部である第１フィックス部を明像の投影される位置として前記投影部に設定し、且つ、前記フィックスの面において前記第１フィックス部以外を暗像の投影される位置として前記投影部に設定する
請求項１〜３のいずれか一項に記載の投影装置。
【請求項５】
前記投影部は、前記ドアに並設された固定体であるフィックスの面にさらに像を投影可能に構成され、
前記設定部は、前記フィックスの面の少なくとも一部を明像の投影される位置として前記投影部に設定する
請求項１〜３のいずれか一項に記載の投影装置。
【請求項６】
前記投影部は、前記ドアに並設された固定体であるフィックスの面にさらに像を投影可能に構成され、
前記設定部は、前記フィックスの面の少なくとも一部を暗像の投影される位置として前記投影部に設定する
請求項１〜３のいずれか一項に記載の投影装置。
【請求項７】
前記設定部は、前記フィックスの面の一部を像の投影されない位置として前記投影部に設定する
請求項４〜６のいずれか一項に記載の投影装置。
【請求項８】
前記投影部は、前記フィックスの面と前記ドアの面とを投影対象に含める投光部と、
前記フィックスの面の少なくとも一部への前記投光部による投影を遮蔽可能に構成された遮蔽部とを備える
請求項４〜７のいずれか一項に記載の投影装置。
【請求項９】
前記ドアの周辺における物体の状態を検出する状態検出部と、
前記状態検出部が検出した前記物体の状態が所定の状態であるときに、前記投影部が投影する像を前記投影部に変更させる第１変更部とをさらに備える
請求項１〜８のいずれか一項に記載の投影装置。
【請求項１０】
前記第１変更部は、前記ドア及び前記ドアに並設された固定体であるフィックスの少なくとも一方に前記物体が近づいたことを前記状態検出部が検出したときに、前記投影部によって投影される像に、注意を促す像を含める
請求項９に記載の投影装置。
【請求項１１】
前記投影部は、前記ドア及び前記ドアに並設された固定体であるフィックスの少なくとも一方に接する床にさらに像を投影可能に構成され、
前記設定部は、前記投影部に対し、前記注意を促す像の投影される位置に前記床を設定する
請求項１０に記載の投影装置。
【請求項１２】
前記第１変更部は、前記ドアの面のうち前記物体と対向する領域が、前記設定部において像の投影される位置として設定され、且つ、前記物体が前記ドアに近づいたことを前記状態検出部が検出したときに、前記領域に投影される像の一部を当該一部が投影されないように前記投影部に像を変更させる
請求項９〜１１のいずれか一項に記載の投影装置。
【請求項１３】
前記物体の状態は、前記物体の位置、前記物体の移動する方向、及び前記物体の数の少なくとも１つである
請求項９に記載の投影装置。
【請求項１４】
前記ドアの周辺に位置する物体を撮影する撮影部と、
前記撮影部が撮影した物体に装飾を合成した像を示すデータを生成する生成部とをさらに備え、
前記投影部は、投影データが示す像を投影し、
前記設定部は、前記生成部が生成したデータを前記投影データに含める
請求項１〜１３のいずれか一項に記載の投影装置。
【請求項１５】
前記ドアに対する通行者の動作を検出する動作検出部と、
前記動作検出部が通行者の動作を検出したときに、前記投影部が投影する像を前記投影
部に変更させる第２変更部とをさらに備える
請求項１〜１４のいずれか一項に記載の投影装置。
【請求項１６】
前記ドアの周辺における通行者が携帯する携帯端末に情報を送信する送信部をさらに備え、
前記送信部は、前記投影部が投影している像の情報を、前記携帯端末に送信する
請求項１〜１５のいずれか一項に記載の投影装置。
【請求項１７】
前記ドアの周辺における通行者が携帯する携帯端末と通信する通信部と、
前記携帯端末が保持している情報を前記通信部が受信したときに、受信した情報に応じた像が前記投影部の投影する像に含まれるように前記投影部に像を変更させる第３変更部とをさらに備える
請求項１〜１６のいずれか一項に記載の投影装置。
【請求項１８】
前記ドアの周辺に対する通行者の外観を検出する外観検出部と、
前記外観検出部が検出した通行者の外観に応じて、前記投影部が投影する像を前記投影部に変更させる第４変更部とをさらに備える
請求項１〜１７のいずれか一項に記載の投影装置。
【請求項１９】
前記ドアを通行者が通過したことを検知する通過検知部と、
前記ドアを通行者が通過したときに投影されている像と、当該像以外の像とを前記投影部に切り替えさせる切替部と、
通行者が前記ドアを通過したことを前記通過検知部が検知したときに、前記ドアを通行者が通過したときに投影されている像が選択されたと判断し、前記投影部が投影している像から、前記ドアを通行者が通過したときに投影されている像への切り替えを、前記切替部に実行させる判断部とをさらに備える
請求項１〜１８のいずれか一項に記載の投影装置。
【請求項２０】
前記ドアが閉状態に遷移してから経過した時間である経過時間を検出する経過時間検出部と、
前記投影部が投影する像を前記経過時間に応じて変更させる第５変更部とをさらに備える
請求項１〜１９のいずれか一項に記載の投影装置。
【請求項２１】
前記投影部が投影する像の情報を予め外部から取得する外部接続部をさらに備え、
前記設定部は、前記外部接続部が取得した情報に含まれる像が前記投影部の投影する像に含まれるように前記投影部の駆動を設定する
請求項１〜２０のいずれか一項に記載の投影装置。
【請求項２２】
前記投影部は、前記ドア及び前記ドアの周辺に明像を投影する
請求項１〜２１のいずれか一項に記載の投影装置。
【請求項２３】
前記投影部は、第１の投影部であり、
１以上の第２の投影部をさらに備え、
前記設定部は、前記第２の投影部が投影する像の動きが、前記第１の投影部が投影する像の動きと連動するように、各前記投影部の駆動を設定する
請求項１〜２２のいずれか一項に記載の投影装置。
【請求項２４】
ドアと、
前記ドアを開閉するアクチュエータと、
前記アクチュエータを駆動するドア駆動部と、
請求項１〜２３のいずれか一項に記載の投影装置とを備える
自動ドアシステム。
【請求項２５】
ドアと、
前記ドアを開閉するアクチュエータと、
前記アクチュエータを駆動するドア駆動部と、
ドアの面に像を投影する投影部と、
前記ドアの位置を検出する位置検出部と、
前記位置検出部が検出した前記ドアの位置を前記像の投影される位置として前記投影部に設定する設定部と、
前記ドアの面に対する通行者の動作を検出する動作検出部と、
前記ドアの面に投影された像に応じた前記通行者の動作が予め定められた動作と一致したときに前記ドアの開閉を許可する開閉許可部とを備える
自動ドアシステム。
【請求項２６】
前記ドアの面の一部は、前記投影部からの光の反射を抑える色部を備える
請求項２４又は２５に記載の自動ドアシステム。
【請求項２７】
前記ドアに並設された固定体であるフィックスを備え、
前記投影部は、前記フィックスの面にさらに像を投影し、
前記フィックスの面の少なくとも一部は、前記投影部からの光の反射を抑える色部を備える
請求項２４〜２６のいずれか一項に記載の自動ドアシステム。
【発明の詳細な説明】
【技術分野】
【０００１】
本発明は、静止画や動画などの像をドアの面に投影する投影装置及び自動ドアシステムに関する。
【背景技術】
【０００２】
従来、ドアを自動的に開閉する自動ドアシステムが知られている（例えば、特許文献１参照）。自動ドアシステムは、ドアと、ドアを開閉するためのアクチュエータを駆動するドア駆動部と、ドア駆動部の駆動を制御するコントローラと、ドアに隣接して建物に固定された壁部であるフィックスとを備えている。【０００３】
特許文献１に記載の自動ドアシステムでは、ドア及びフィックスの少なくとも一方に設置される表示部を備え、ドアの移動に応じた表示を表示部に行わせている。表示部は、電線を介して電力が供給されている。
【先行技術文献】
【特許文献】
【０００４】
【特許文献１】特開２０１２−６７４４６号公報
【特許文献２】特開２００１−３０５９８９号公報
【発明の概要】
【発明が解決しようとする課題】
【０００５】
ところで、上記特許文献１に記載の自動ドアシステムのように、表示部がドアに設置される構成では、表示部用の給電ケーブルや表示部用の信号ケーブルがドアの表面に引き回される。この際に、ドアの開閉がケーブルによって阻害されないように、ドアの移動領域からケーブルを遠ざける必要がある。そのため、こうした自動ドアシステムにおいてはケーブルの引き回しが煩雑である。これに対して、特許文献２に記載のように、ドアから離れた位置に設置される投影装置がドアの表面に像を投影する構成であれば、ドアの表面に引き回される給電ケーブルや信号ケーブルの数自体を少なくすることが可能である。しかしながら、特許文献２に記載のシステムでは、ドアが開放されるときに投影が中断されるため、ドアに対する像の投影がドアの開放に伴って途切れてしまい、ドアに像を投影し続けることができない。【０００６】
本発明は、こうした実情に鑑みてなされたものであり、その目的は、ドアの移動に連動または追従してドアに像を投影し続けることのできる投影装置及び自動ドアシステムを提供することにある。
【課題を解決するための手段】
【０００７】
本発明の一局面に従う投影装置は、ドアの面に像を投影する投影部と、前記ドアの位置を検出する位置検出部と、前記位置検出部が検出した前記ドアの位置を前記像の投影される位置として前記投影部に設定する設定部とを備えることをその要旨としている。【０００８】
本発明の一局面に従う自動ドアシステムは、ドアと、前記ドアを開閉するアクチュエータと、前記アクチュエータを駆動するドア駆動部と、上記投影装置とを備えることをその要旨としている。【０００９】
上記構成によれば、設定部が、ドアの位置に合わせて、ドアの面に投影される像の位置を投影部に設定するため、投影装置は、ドアの移動に連動または追従してドアの面に像を投影し続けることができる。【００１０】
前記像は、明像と暗像とを含み、前記設定部は、前記位置検出部が検出した位置を用いて前記ドアの移動前の位置を定め、前記移動前の位置を暗像の投影される位置として前記投影部に設定することが好ましい。【００１１】
上記構成によれば、ドアが移動前の位置から移動したとき、移動前の位置には暗像が投影される。そのため、移動前の位置を通る通行者が、移動前の位置に投影された像を見たとしても、投影された像による眩しさを軽減することができる。【００１２】
前記設定部は、前記ドアの面の一部である第１部を明像の投影される位置として前記投影部に設定し、且つ、前記ドアの面において前記第１部以外を暗像の投影される位置として前記投影部に設定することが好ましい。【００１３】
上記構成によれば、ドアの第１部に明像が投影され、ドアの第１部以外に暗像が投影されることで、明像が投影される第１部を第１部以外よりも際立たせて強調することができる。【００１４】
前記設定部は、前記ドアの面の一部を像が投影されない位置として投影部に設定することが好ましい。
上記構成によれば、ドアの面の一部に設定された部分に像が投影されないので、ドアの面の一部において眩しさを軽減することができる。【００１５】
前記投影部は、前記ドアに並設された固定体であるフィックスの面にさらに像を投影可能に構成され、前記設定部は、前記フィックスの面の一部である第１フィックス部を明像の投影される位置として前記投影部に設定し、且つ、前記フィックスの面において前記第１フィックス部以外を暗像の投影される位置として前記投影部に設定することが好ましい。【００１６】
上記構成によれば、第１フィックス部に明像が投影され、第１フィックス部以外に暗像が投影されることで、明像が投影される第１フィックス部を第１フィックス部以外よりも際立たせて強調することができる。【００１７】
前記投影部は、前記ドアに並設された固定体であるフィックスの面にさらに像を投影可能に構成され、前記設定部は、前記フィックスの面の少なくとも一部を明像の投影される位置として前記投影部に設定することが好ましい。【００１８】
上記構成によれば、ドアだけでなくフィックスも含めて明像が投影されるので、明像の投影面積をドアのみよりも大きくすることができ、視認性を高めることができる。
前記投影部は、前記ドアに並設された固定体であるフィックスの面にさらに像を投影可能に構成され、前記設定部は、前記フィックスの面の少なくとも一部を暗像の投影される位置として前記投影部に設定することが好ましい。【００１９】
上記構成によれば、フィックスに暗像が投影されるので、フィックスの前に人がいたとしても、フィックスの前に位置する人が像を見たとしても、投影された像による眩しさを軽減することができる。【００２０】
前記設定部は、前記フィックスの面の一部を像の投影されない位置として前記投影部に設定することが好ましい。
上記構成によれば、フィックスの面の一部に像が投影されないので、フィックスの面の一部において眩しさを軽減することができる。【００２１】
前記投影部は、前記フィックスの面と前記ドアの面とを投影対象に含める投光部と、前記フィックスの面の少なくとも一部への前記投光部による投影を遮蔽可能に構成された遮蔽部とを備えることが好ましい。【００２２】
上記構成によれば、投影部に投影を遮蔽する遮蔽部を備えるので、投影される像を暗像に設定することなく、投影される像が明像であったとしても遮蔽部によって遮蔽することで眩しさを軽減することができる。【００２３】
前記ドアの周辺における物体の状態を検出する状態検出部と、前記状態検出部が検出した前記物体の状態が所定の状態であるときに、前記投影部が投影する像を前記投影部に変更させる第１変更部とをさらに備えることが好ましい。【００２４】
上記構成によれば、通行者等の物体の状態が所定の状態であるときに、ドアの面における像が変更される。このため、通行者等の物体の所定の状態に応じた像を投影することができ、通行者の興味をひくことができる。【００２５】
前記第１変更部は、前記ドア及び前記ドアに並設された固定体であるフィックスの少なくとも一方に前記物体が近づいたことを前記状態検出部が検出したときに、前記投影部によって投影される像に、注意を促す像を含めることが好ましい。【００２６】
上記構成によれば、通行者等の物体がドアやフィックスに近づいたときに、注意を促す像が含まれる像に変更される。このため、投影された像によってドアやフィックスに引き付けられたときに、通行者がドアやフィックスに触ろうとして、移動したドアと衝突することを抑制することができる。【００２７】
前記投影部は、前記ドア及び前記ドアに並設された固定体であるフィックスの少なくとも一方に接する床にさらに像を投影可能に構成され、前記設定部は、前記投影部に対し、前記注意を促す像の投影される位置に前記床を設定することが好ましい。【００２８】
上記構成によれば、通行者等の物体がドアやフィックスに近づいたときに、床に注意を促す像が投影される。このため、投影された像によってドアやフィックスに引き付けられたときに、通行者がドアやフィックスに触ろうとして、移動したドアと衝突することを抑制することができる。【００２９】
前記第１変更部は、前記ドアの面のうち前記物体と対向する領域が、前記設定部において像の投影される位置として設定され、且つ、前記物体が前記ドアに近づいたことを前記状態検出部が検出したときに、前記領域に投影される像の一部を当該一部が投影されないように前記投影部に像を変更させることが好ましい。【００３０】
上記構成によれば、通行者等の物体がドアに近づいたときに、ドアの面に投影される像によって前方が見え難くなるが、ドアの一部の像が投影されないので、ドアの向こう側が視認でき、ひいては反対側から来る通行者を視認することができる。【００３１】
前記物体の状態は、前記物体の位置、前記物体の移動する方向、及び前記物体の数の少なくとも１つであることが好ましい。
上記構成によれば、ドアの周辺における通行者等の物体の位置、物体の移動する方向、物体の数の少なくとも１つに基づいて、ドアの面における像が変更される。このため、通行者等の物体の状態である、物体の位置、物体の移動する方向、物体の数に応じた像を投影することができ、通行者の興味を更にひくことができる。【００３２】
前記ドアの周辺に位置する物体を撮影する撮影部と、前記撮影部が撮影した物体に装飾を合成した像を示すデータを生成する生成部とをさらに備え、前記投影部は、投影データが示す像を投影し、前記設定部は、前記生成部が生成したデータを前記投影データに含めることが好ましい。【００３３】
上記構成によれば、撮影した通行者等の物体に装飾を合成したデータが生成され、生成されたデータが示す像がドアの面に投影される。このため、通行者等の物体自体の投影を変更させることができ、通行者の興味をひくことができる。【００３４】
前記ドアに対する通行者の動作を検出する動作検出部と、前記動作検出部が通行者の動作を検出したときに、前記投影部が投影する像を前記投影部に変更させる第２変更部とをさらに備えることが好ましい。【００３５】
上記構成によれば、通行者の動作に応じて、ドアの面における像が変更される。このため、通行者の動作によってドアの面の像を変更することができる。
前記ドアの周辺における通行者が携帯する携帯端末に情報を送信する送信部をさらに備え、前記送信部は、前記投影部が投影している像の情報を、前記携帯端末に送信することが好ましい。【００３６】
上記構成によれば、通行者が携帯している携帯端末が、ドアの面に投影されている情報を取り込むことができる。このため、通行者はドアを通過した後に投影されていた情報を確認することができる。【００３７】
前記ドアの周辺における通行者が携帯する携帯端末と通信する通信部と、前記携帯端末が保持している情報を前記通信部が受信したときに、受信した情報に応じた像が前記投影部の投影する像に含められるように前記投影部に像を変更させる第３変更部とをさらに備えることが好ましい。【００３８】
上記構成によれば、通行者が携帯している携帯端末に保持されている情報をドアの面に投影させることができる。このため、通行者が必要とする情報をドアの面に投影させることができる。【００３９】
前記ドアの周辺に対する通行者の外観を検出する外観検出部と、前記外観検出部が検出した通行者の外観に応じて、前記投影部が投影する像を前記投影部に変更させる第４変更部とをさらに備えることが好ましい。【００４０】
上記構成によれば、検出された通行者の外観に応じて、ドアの面における像が変更される。このため、第３者が通行者の外観を遠方から認識することができるようになる。
前記ドアを通行者が通過したことを検知する通過検知部と、前記ドアを通行者が通過したときに投影されている像と、当該像以外の像とを前記投影部に切り替えさせる切替部と、通行者が前記ドアを通過したことを前記通過検知部が検知したときに、前記ドアを通行者が通過したときに投影されている像が選択されたと判断し、前記投影部が投影している像から、前記ドアを通行者が通過したときに投影されている像への切り替えを、前記切替部に実行させる判断部とをさらに備えることが好ましい。【００４１】
上記構成によれば、切り替わりながら複数の異なる像がドアの面に投影され、ドアを通行者が通過したときに投影されている像が選択されたと判断される。このため、通行者がドアを通行することで通行者の意思に応じた選択を行うことができるようになる。【００４２】
前記ドアが閉状態に遷移してから経過した時間である経過時間を検出する経過時間検出部と、前記投影部が投影する像を前記経過時間に応じて変更させる第５変更部とをさらに備えることが好ましい。【００４３】
上記構成によれば、ドアが閉状態に遷移してからの経過時間に応じて、ドアの面における像が変化される。このため、ドアが開閉した頻度、ひいては、ドアの通行頻度をドアの面に投影された像を見ることで、遠方からでも確認することができる。【００４４】
前記投影部が投影する像の情報を予め外部から取得する外部接続部をさらに備え、前記設定部は、前記外部接続部が取得した情報に含まれる像が前記投影部の投影する像に含められるように前記投影部の駆動を設定することが好ましい。【００４５】
上記構成によれば、前記ドアの面に投影するための像の情報を外部から取得することができる。このため、ドアの面に投影させる像に関して変更の自由度を高めることができる。【００４６】
前記投影部は、前記ドア及び前記ドアの周辺に明像を投影することが好ましい。
上記構成によれば、ドア及びドアの周辺に明像が投影されるので、迫力ある像を通行者等に見せることができる。【００４７】
前記投影部は、第１の投影部であり、１以上の第２の投影部をさらに備え、前記設定部は、前記第２の投影部が投影する像の動きが、前記第１の投影部が投影する像の動きと連動するように、各前記投影部の駆動を設定することが好ましい。【００４８】
上記構成によれば、複数の投影部から連動した像が投影されるので、連動した二つ以上の情報を通行者に見せることができる。
本発明の一局面に従う自動ドアシステムは、ドアと、前記ドアを開閉するアクチュエータと、前記アクチュエータを駆動するドア駆動部と、ドアの面に像を投影する投影部と、前記ドアの位置を検出する位置検出部と、前記位置検出部が検出した前記ドアの位置を前記像の投影される位置として前記投影部に設定する設定部と、前記ドアの面に対する通行者の動作を検出する動作検出部と、前記ドアの面に投影された像に応じた前記通行者の動作が予め定められた動作と一致したときに前記ドアの開閉を許可する開閉許可部とを備えることをその要旨としている。【００４９】
上記構成によれば、ドアの面における像に応じた通行者の動作が予め定められた動作と一致したときに、ドアの開閉が許可される。このため、ドアの運営者がドアの開閉方法を任意に指定することができる。【００５０】
前記ドアの面の少なくとも一部は、前記投影部からの光の反射を抑える色部を備えることが好ましい。
上記構成によれば、ドアの面の一部に投影部からの光の反射を抑える色部を備えるので、投影される像を暗像に設定することなく、投影される像が明像であったとしても色部によって通行者等が視認し難くすることができる。【００５１】
前記ドアに並設された固定体であるフィックスを備え、前記投影部は、前記フィックスの面にさらに像を投影し、前記フィックスの面の少なくとも一部は、前記投影部からの光の反射を抑える色部を備えることが好ましい。【００５２】
上記構成によれば、フィックスの面の少なくとも一部に投影部からの光の反射を抑える色部を備えるので、投影される像を暗像に設定することなく、投影される像が明像であったとしても色部によって通行者等が視認し難くすることができる。
【発明の効果】
【００５３】
本発明によれば、ドアの移動に連動または追従してドアに像を投影し続けることができる投影装置及び自動ドアシステムが得られる。本発明の他の局面及び利点は本発明の技術的思想の例を示している図面と共に以下の記載から明らかとなる。
【図面の簡単な説明】
【００５４】
【図１】投影装置と自動ドアとを備える自動ドアシステムの概略構成を示す斜視図。
【図２】自動ドアシステムの第１の実施形態における概略構成を示すブロック図。
【図３】（ａ）〜（ｊ）同実施形態の投影装置によって投影される画像を示す図。
【図４】（ａ）〜（ｃ）同実施形態の投影装置によって投影される画像の具体例を示す図。
【図５】投影装置の第２の実施形態における概略構成を示すブロック図。
【図６】（ａ）同実施形態において自動ドアに対する通行者の位置を示す図、（ｂ）自動ドアの表面の画像を示す図。
【図７】（ａ）同実施形態において自動ドアに対する通行者の位置を示す図、（ｂ）自動ドアの表面の画像を示す図。
【図８】（ａ）同実施形態において自動ドアに対する通行者の位置を示す図、（ｂ）自動ドアの表面の画像を示す図。
【図９】（ａ）同実施形態において自動ドアに対する通行者の位置を示す図、（ｂ）自動ドアの表面の画像を示す図。
【図１０】自動ドアシステムの第３の実施形態における通行者の移動方向に応じたドアの表面の画像の変化を示す図。
【図１１】（ａ）〜（ｃ）自動ドアシステムの第４の実施形態における通行者の位置に応じたドアの表面の画像を示す図。
【図１２】投影装置の第５の実施形態における概略構成を示すブロック図。
【図１３】同実施形態の自動ドアシステムにおける通行者と自動ドアの表面の画像とを示す図。
【図１４】投影装置の第６の実施形態における概略構成を示すブロック図。
【図１５】（ａ）〜（ｄ）同実施形態の自動ドアシステムにおける通行者の動作とドアの表面の画像とを示す図。
【図１６】投影装置の第７の実施形態における概略構成を示すブロック図。
【図１７】（ａ）（ｂ）同実施形態の自動ドアシステムにおける通行者とドアの表面の画像とを示す図。
【図１８】投影装置の第８の実施形態における概略構成を示すブロック図。
【図１９】（ａ）（ｂ）同実施形態の自動ドアシステムにおける通行者とドアの表面の画像とを示す図。
【図２０】投影装置の第９の実施形態における概略構成を示すブロック図。
【図２１】（ａ）（ｂ）同実施形態の自動ドアシステムにおける通行者とドアの表面の画像とを示す図。
【図２２】投影装置の第１０の実施形態における概略構成を示すブロック図。
【図２３】同実施形態の自動ドアシステムにおけるドアの表面の切り替わる画像を示す図。
【図２４】（ａ）（ｂ）同実施形態の自動ドアシステムにおける通行者とドアの表面の画像とを示す図。
【図２５】投影装置の第１１の実施形態における概略構成を示すブロック図。
【図２６】（ａ）〜（ｄ）同実施形態の自動ドアシステムにおけるドアの表面の画像を示す図。
【図２７】同実施形態の自動ドアシステムにおける通行者とドアの表面の画像とを示す図。
【図２８】自動ドアシステムにおけるドアの表面の画像の一例を示す図。
【図２９】自動ドアシステムにおけるドアの表面の画像の一例を示す図。
【図３０】自動ドアシステムにおけるドアの表面の画像の一例を示す図。
【図３１】自動ドアシステムにおけるドアの表面の画像の一例を示す図。
【図３２】（ａ）〜（ｃ）自動ドアシステムにおけるドアの表面の画像の一例を示す図。
【図３３】自動ドアシステムにおけるドアの表面の画像の一例を示す図。
【図３４】自動ドアシステムにおけるドアの表面の画像の一例を示す図。
【図３５】自動ドアシステムにおけるドアの表面の範囲の一例を示す図。
【図３６】投影装置の一例を示す正面図。
【図３７】（ａ）（ｂ）自動ドアシステムにおける通行者と投影装置によって投影される画像とを示す図。
【図３８】（ａ）（ｂ）自動ドアシステムにおける通行者と投影装置によって投影される画像とを示す図。
【図３９】（ａ）（ｂ）自動ドアシステムにおける通行者と投影装置によって投影される画像とを示す図。
【図４０】投影装置による投影の一例を示す図。
【図４１】自動ドアシステムの変形例の概略構成を示す斜視図。
【図４２】自動ドアシステムの変形例の概略構成を示す斜視図。
【図４３】自動ドアシステムの変形例の概略構成を示す斜視図。
【図４４】自動ドアシステムの変形例の概略構成を示す斜視図。
【発明を実施するための形態】
【００５５】
（第１の実施形態）
以下、図１〜図４を参照して、投影装置、及び投影装置と自動ドアとを備える自動ドアシステムの第１の実施形態について説明する。本実施形態の投影装置は、自動ドアに像を投影する位置に設置されている。
【００５６】
図１に示すように、自動ドアシステムは、ドアパネル（単にドアともいう）１１を備える自動ドア１０と、ドア１１の表面に像を投影する投影装置２０とを備えている。投影装置２０は、ドア１１のほぼ全面に像を投影する。自動ドアシステムは、ドア１１の有する一方の表面に対してのみ像を投影可能に構成され、ドア１１の有する一方の表面に対してのみ投影装置２０を設置している。なお、自動ドアシステムは、ドア１１の有する両方の表面に対して像を投影可能に構成され、ドア１１の有する両方の表面に対してそれぞれ投影装置２０を設置してもよい。
【００５７】
図２に示すように、自動ドア１０は、移動可能である２枚のドア１１と、ドア１１に隣接して建物に固定される２枚のフィックス１２と、ドア１１を移動させるためのアクチュエータ１８を駆動するドア駆動部１３と、ドア駆動部１３の駆動を制御するドア制御部１４とを備えている。フィックス１２は、ドア１１に並設された固定体である。ドア１１は、フィックス１２に対向する位置に移動すると通路を開き、フィックス１２に対向しなくなると通路を閉じる。ドア駆動部１３は、アクチュエータ１８の一例であるモータを駆動させることで、ドア制御部１４の指令に従った位置にドア１１を移動させる。
【００５８】
ドア制御部１４には、ドア１１の位置を検出するドア位置検出部１５が接続されている。ドア位置検出部１５は、アクチュエータ１８の駆動量を検出する図示しないエンコーダを備え、エンコーダによってドア１１の位置を随時検出または監視して、ドア制御部１４に随時出力する。また、ドア制御部１４には、ドア１１の周囲に位置する人等の物体を検出するセンサ１６が接続されている。センサ１６は、ドア１１の周囲に位置する物体の検出結果とともに、検出した物体の位置をドア制御部１４に出力する。ドア制御部１４は、センサ１６から出力された検出結果に基づいて、ドア駆動部１３によってドア１１を開けさせたり、ドア１１を閉じさせたりする。さらに、ドア制御部１４には、ドア位置検出部１５によって検出されたドア１１の位置情報を外部に出力するドア通信部１７が接続されている。ドア通信部１７は、ドア位置検出部１５から入力されたドア１１の位置を随時送信する。ドア通信部１７は、例えばＢｌｕｅｔｏｏｔｈ（登録商標）等の近距離無線通信規格に適合した無線通信回路を含むことができる。
【００５９】
投影装置２０は、ドア１１の表面に像を投影する投影部２１と、ドア１１の表面に投影される像に関わる制御を行う制御装置２２とを備えている。制御装置２２は、ドア位置検出部１５が検出したドア１１の位置を像の投影される位置として投影部２１に設定する設定部２３と、ドア位置検出部１５が検出したドア１１の位置を得るための投影側通信部２４とを備える。設定部２３は、投影部２１によってドア１１の表面に投影される像の位置を設定して、投影部２１に投影させる。投影部２１によって投影される像には、明像と、明像よりも暗い暗像とが含まれている。設定部２３は、ドア１１が開いて、ドア１１が存在しなくなった位置を暗像が投影される位置として設定する。投影側通信部２４は、自動ドア１０のドア制御部１４からドア位置検出部１５が検出したドア１１の位置を取得して設定部２３に出力する。投影側通信部２４は、例えばＢｌｕｅｔｏｏｔｈ（登録商標）等の近距離無線通信規格に適合した無線通信回路を含むことができる。
【００６０】
図１に示すように、投影部２１は、投影データに基づく像を投影するプロジェクタであって、自動ドア１０が設置された建物の天井等に設置される。投影部２１は、自動ドア１０のドア１１及びフィックス１２に対して像を投影する。ここでは、図中左側を建物の内側、図中右側を建物の外側として、主に通行者が建物の外側から内側へ通過するときにドア１１に投影された像を視認することを想定し、ドア１１の背面側からドア１１に投影された像をドア１１の表面側から通行者が視認するように、自動ドアシステムは構成されている。なお、プロジェクタの投影方法は、任意に変更可能である。
【００６１】
図３に示すように、自動ドア１０に投影される像Ｐには、ドア１１の表面に投影されるドア用画像Ｐａが含まれ、ドア１１の位置していないフィックス１２の表面に投影されるフィックス用画像Ｐｂ、及びドア１１が移動してドア１１が位置しなくなった領域に投影される通路用画像Ｐｃの少なくとも一方が含まれる。像Ｐは、静止画であっても、動画であってもよい。ドア用画像Ｐａ及びフィックス用画像Ｐｂは、主に明色からなる像である明像である。一方、通路用画像Ｐｃは、暗色からなる像である暗像である。通路用画像Ｐｃが暗像であるため、自動ドア１０の通行者が通行するときには、投影部２１によって投影される画像は、通行者に眩しさを感じない。なお、フィックス１２部分に画像が不要な場合は、フィックス用画像Ｐｂを暗像としてもよい。
【００６２】
投影部２１から自動ドア１０に投影される像Ｐは、ドア１１の位置とドア用画像Ｐａの位置とを時間的な空間においてほぼ連続的に整合させた像である。例えば、自動ドア１０に投影される像は、ドア１１が移動する範囲における互いに異なる１０通りのシーンにおいて、互いに異なる１０通りの像Ｐ１〜Ｐ１０である。これら１０通りの像Ｐは、ドア１１の移動範囲におけるドア用画像Ｐａの位置が互いに異なっており、それに合わせてフィックス用画像Ｐｂの大きさ及び通路用画像Ｐｃの大きさが異なっている。
【００６３】
図３（ａ）は、ドア１１が閉まっているときにおける像Ｐ１を示している。像Ｐ１は、ドア１１が閉まっているため通路用画像Ｐｃを有していない。図３（ｂ）〜（ｉ）は、ドア１１が移動しているときにおける像Ｐ２〜Ｐ９を示している。像Ｐ２〜Ｐ９は、ドア用画像Ｐａの位置が変化することによって、フィックス用画像Ｐｂの大きさ及び通路用画像Ｐｃの大きさが変化している。図３（ｊ）は、ドアが全開しているときにおける像Ｐ１０を示している。像Ｐ１０は、ドア１１が全開であるためフィックス用画像Ｐｂを有していない。
【００６４】
設定部２３は、投影データを生成するための画像処理部を備えている。ドア用画像Ｐａ、フィックス用画像Ｐｂ、および、通路用画像Ｐｃは、投影データに基づく投影部２１の投影処理によって得られ、投影データは、画像処理部による基準データからの切り出しによって生成される。
【００６５】
基準データは、ドア用画像Ｐａを投影するためのデータを含む。また、基準データは、ドア１１が閉じているときのフィックス用画像Ｐｂを投影するためデータを含み、またドア１１が空いているときの通路用画像Ｐｃを投影するためのデータを含む。基準データは、これら３つのデータが１つのフレーム用として合成されたデータであって、右側のドア１１用と左側のドア１１用とに各別に準備されている。基準データによって表現されるフレームは、投影データによって表現されるフレームよりも大きく設定されている。
【００６６】
設定部２３が備える画像処理部は、ドア位置検出部１５が検出したドア１１の位置を用い、ドア１１の表面にドア用画像Ｐａが位置するように、基準データのなかから切り出される投影データの領域をドア１１の位置に合わせて変える。設定部２３の備える画像処理部は、右側のドア１１用として切り出された投影データと、左側のドア１１用として切り出された投影データとを合成し、合成された投影データを投影部２１に転送する。
【００６７】
例えば、ドア１１が閉まっているときに投影される像Ｐ１は、ドア１１が閉位置に位置する位置検出の結果に応じ、画像処理部が基準データに画像処理を行うことによって得られる。この際に、投影データが示すフレームのなかでドア用画像Ｐａがドア１１の閉位置に配置されるように、基準データから投影データを切り出す。また、例えば、ドア１１が全開しているときに投影される像Ｐ１０は、ドア１１が開位置に位置する位置検出の結果に応じ、画像処理部が基準データに画像処理を行うことによって得られる。この際に、画像処理部は、基準データから投影データを切り出す。
【００６８】
なお、設定部２３は、像Ｐ１〜Ｐ１０を投影するための投影データを画像ごとに保持し、ドア１１の位置に合わせて投影データを選択してもよい。こうした構成であれば、ドア１１の位置毎に予め画像が決まっているので、基準データの画像処理に要する処理時間を削減することができる。
【００６９】
次に、図４を参照して、上記のように構成された投影装置２０及び自動ドアシステムの動作について説明する。ここでは、店舗等の建物に設置された自動ドア１０における投影装置２０及び自動ドアシステムの動作について説明する。
【００７０】
まず、図４（ａ）に示すように、ドア１１は閉じているので、ドア位置検出部１５によって閉じているドア１１の位置Ｄ１が検出されている。自動ドア１０は、ドア通信部１７からドア１１の位置情報を送信する。投影装置２０は、ドア通信部１７から送信されたドア１１の位置情報を、投影側通信部２４を介して受信して、ドア１１の位置情報を取得する。そして、投影装置２０の設定部２３は、取得したドア１１の位置情報に基づいて、閉じているドア１１の位置Ｄ１をドア用画像Ｐａの投影される位置として設定する。言い換えれば、設定部２３は、投影データが示すフレームのなかでドア用画像Ｐａがドア１１の位置Ｄ１に配置されるように、かつ投影データが示すフレームのなかに通路用画像Ｐｃが配置されないように、基準データから投影データを切り出す。そして、ドア１１の位置Ｄ１に対して投影部２１に第１状態画像Ｐ１１を投影させる。このときドア１１の表面に投影されている第１状態画像Ｐ１１は、例えば店舗等の建物の中にお客様を呼び込むために両手を挙げて呼び込んでいる人物の静止画又は動画である。
【００７１】
続いて、図４（ｂ）に示すように、自動ドア１０にお客様が近づいてドア１１が開けられる範囲にお客様が進入すると、ドア１１がフィックス１２と対向する位置に向かって移動途中となり、ドア位置検出部１５によって移動途中のドア１１の位置Ｄ２が検出されている。そして、投影装置２０の設定部２３は、取得したドア１１の位置情報に基づいて、移動途中のドア１１の位置Ｄ２をドア用画像Ｐａの投影される位置として設定する。言い換えれば、設定部２３は、投影データが示すフレームのなかでドア用画像Ｐａがドア１１の位置Ｄ２に配置されるように、かつ投影データが示すフレームのなかにフィックス用画像Ｐｂと通路用画像Ｐｃとが含まれるように、基準データから投影データを切り出す。そして、設定部２３は、ドア１１の位置Ｄ２に対して投影部２１に第２状態画像Ｐ１２を投影させる。このときドア１１の表面に投影されている第２状態画像Ｐ１２は、例えば店舗等の建物の中に入ってくるお客様に対してお辞儀をしている人物の静止画又は動画である。
【００７２】
続いて、図４（ｃ）に示すように、ドア１１が全開となっているので、ドア１１がフィックス１２と対向する位置となり、ドア位置検出部１５によって全開のドア１１の位置Ｄ３が検出されている。そして、投影装置２０の設定部２３は、取得したドア１１の位置情報に基づいて、全開のドア１１の位置Ｄ３を画像の投影される位置として設定する。言い換えれば、設定部２３は、投影データが示すフレームのなかでドア用画像Ｐａがドア１１の位置Ｄ３に配置されるように、かつ、投影データが示すフレームのなかにフィックス用画像Ｐｂが含まれないように、基準データから投影データを切り出す。そして、設定部２３は、ドア１１の位置Ｄ３に対して投影部２１に第３状態画像Ｐ１３を投影させる。このときドア１１の表面に投影されている第３状態画像Ｐ１３は、例えばドア１１の位置Ｄ２のときと同様にお辞儀をしている人物の静止画又は動画である。
【００７３】
さて、このような自動ドア１０においては、常に自動ドア１０のドア１１部分にドア用画像Ｐａが投影されているので、自動ドア１０の通行者がドア１１に接近してドア１１を通過するまで画像が途切れることなく画像を表示し続けることができる。また、自動ドア１０の通路部分には暗像からなる通路用画像Ｐｃが投影されるので、通行者が眩しさを感じることを抑制することができる。
【００７４】
以上説明したように、本実施形態によれば、以下の効果を奏することができる。
（１）ドア１１の位置に合わせてドア１１の表面に投影するドア用画像Ｐａの位置が設定されるので、ドア１１の移動に連動または追従してドア用画像Ｐａをドア１１の表面に表示し続けることができる。また、ドア１１に表示装置を設置する必要がないので、表示装置に給電するケーブル等をドア１１に配設する必要がなく、容易に設置することができる。
【００７５】
（２）ドア１１が開いてドア１１が存在しなくなった位置である通路部分を通行者が通過するときに、暗像が投影されるので、投影された像を通行者が見たとしても、眩しさを軽減することができる。また、通路部分に像が投影されていることによる違和感を抑制することができる。
【００７６】
（第２の実施形態）
以下、図５〜図９を参照して、投影装置及び自動ドアシステムの第２の実施形態について説明する。この実施形態の投影装置及び自動ドアシステムは、ドアの周辺における物体の状態が所定の状態であるときに、ドアの表面に投影される像が変更される点が上記第１の実施形態と異なっている。特に、本実施形態では、自動ドアと物体である人との距離に合わせて像が変更される。以下、第１の実施形態との相違点を中心に説明する。
【００７７】
図５に示すように、制御装置２２は、設定部２３及び投影側通信部２４に加えて、ドア１１の周辺における物体の状態を検出する状態検出部２５と、状態検出部２５が検出した物体の状態が所定の状態であるときに、投影部２１の投影する像を変更する第１変更部２６とを備える。自動ドア１０に設けられるセンサ１６は、ドア１１の周囲に位置する人等の物体の位置、物体の移動する方向、及び物体の数等を検出することが可能である。状態検出部２５は、この自動ドア１０のセンサ１６によって検出された検出結果を自動ドア１０から取得することで物体の状態を検出する。第１変更部２６は、状態検出部２５が検出した物体の状態が、ドア１１と所定の距離の位置であるときに、投影部２１の投影する像を変更する。すなわち、第１変更部２６は、物体の位置からドアとの距離が求められるので、その距離に応じて基準データを変え、投影部２１によって投影される像を変更させる。像を投影する際に用いられる基準データは、ドア１１と物体との距離毎に予め用意されている。設定部２３は、第１変更部２６によって変更された基準データを用い、ドア１１の位置にドア用画像Ｐａの位置を合わせるように、基準データに対し画像処理を行う。
【００７８】
次に、図６〜図９を参照して、上記のように構成された投影装置２０及び自動ドアシステムの動作について説明する。ここでは、スーパー等の建物に設置された自動ドア１０における投影装置２０及び自動ドアシステムの動作について説明する。なお、ドア１１は閉まっている状態として説明する。店舗内から人が出てくる場合には、ドア１１が開いて、ドア１１の位置に応じて像の位置が変更される。
【００７９】
まず、図６（ａ）に示すように、状態検出部２５は、ドア１１の周囲に人等の物体が位置していないので、物体が存在しない状態であると検出する。そして、図６（ｂ）に示すように、第１変更部２６は、状態検出部２５の検出結果に応じて第１状態画像Ｐ２１をドア１１の表面に投影部２１によって投影させる。このとき、第１状態画像Ｐ２１は、例えば「お買得！」等の画像である。
【００８０】
続いて、図７（ａ）に示すように、状態検出部２５は、ドア１１の周囲に人等の物体が位置して、自動ドア１０と通行者Ｈとの距離が第１距離Ｌ１以内の状態であると検出する。そして、図７（ｂ）に示すように、第１変更部２６は、状態検出部２５の検出結果に応じて第２状態画像Ｐ２２をドア１１の表面に投影部２１によって投影させる。このとき、第２状態画像Ｐ２２は、例えばお買得な商品であるみかん、にんじん、きゅうり、じゃがいも等の画像である。
【００８１】
続いて、図８（ａ）に示すように、状態検出部２５は、ドア１１の周囲に人等の物体が位置して、通行者Ｈがドア１１に近づいて自動ドア１０と通行者Ｈとの距離が第２距離Ｌ２以内の状態であると検出する。そして、図８（ｂ）に示すように、第１変更部２６は、状態検出部２５の検出結果に応じて第３状態画像Ｐ２３をドア１１の表面に投影部２１によって投影させる。このとき、第３状態画像Ｐ２３は、例えばお買得な商品であるいちごやパン等の画像である。
【００８２】
続いて、図９（ａ）に示すように、状態検出部２５は、ドア１１の周囲に人等の物体が位置して、通行者Ｈがドア１１に近づいて自動ドア１０と通行者Ｈとの距離が第３距離Ｌ３以内の状態であると検出する。そして、図９（ｂ）に示すように、第１変更部２６は、状態検出部２５の検出結果に応じて第４状態画像Ｐ２４をドア１１の表面に投影部２１によって投影させる。このとき、第４状態画像Ｐ２４は、例えばお買得な商品であるりんご、バナナ、牛乳、チーズ等の画像である。
【００８３】
さて、このような自動ドア１０においては、ドア１１の周囲における通行者Ｈ等の物体のドア１１との距離に応じて画像が変更されるので、上記のように画像を変更した場合には、通行者はお店に近づきながらお買得な商品の情報を、自動ドア１０を介して提供されることができる。
【００８４】
以上説明したように、本実施形態によれば、第１の実施形態の（１）及び（２）の効果に加え、以下の効果を奏することができる。
（３）通行者等の物体の状態が所定の距離の状態であるときに、ドア１１の表面における像が変更される。このため、通行者等の物体の所定の状態に応じた像を投影することができ、通行者の興味をひくことができるようになる。
【００８５】
（第３の実施形態）
以下、図５及び図１０を参照して、投影装置及び自動ドアシステムの第３の実施形態について説明する。この実施形態の投影装置及び自動ドアシステムは、ドアに対する物体としての人の移動する方向に合わせて、ドアの表面に投影される像が変更される点が上記第２の実施形態と異なっている。以下、第２の実施形態との相違点を中心に説明する。
【００８６】
図５に示すように、第１変更部２６は、状態検出部２５が検出した物体の状態が、ドア１１に対する物体の移動方向が所定方向であるときに像を変更する。すなわち、第１変更部２６は、物体の位置変化から移動方向が求められるので、その移動方向に応じて投影部２１によって投影される像を変更させる。像を投影する際に用いられる基準データは、物体の移動方向毎に予め用意されている。設定部２３は、第１変更部２６によって変更された基準データを用い、ドア１１の位置にドア用画像Ｐａの位置を合わせるように、基準データに対し画像処理を行う。
【００８７】
図１０の破線に示すように、自動ドア１０のドア１１の周囲には、センサ１６によって検出されるセンサエリアＳが形成されている。状態検出部２５は、このセンサエリアＳ内を分割した各エリアがどの順番で検出したかによって移動方向を検出する。
【００８８】
次に、図１０を参照して、上記のように構成された投影装置２０及び自動ドアシステムの動作について説明する。ここでは、博物館等の建物に設置された自動ドア１０における投影装置２０及び自動ドアシステムの動作について説明する。なお、ドア１１は閉まっている状態として説明する。建物内から人が出てくる場合には、ドア１１が開いて、ドア１１の位置に応じて像の位置が変更される。
【００８９】
まず、図１０の実線に示すように、状態検出部２５は、ドア１１の周囲の人等の物体が移動していないときには、移動がない状態であると検出する。そして、第１変更部２６は、状態検出部２５の検出結果に応じて第１状態画像Ｐ３１をドア１１の表面に投影部２１によって投影させる。このとき、第１状態画像Ｐ３１は、ゾウが正面を向いた画像である。
【００９０】
続いて、図１０の二点鎖線に示すように、状態検出部２５は、ドア１１の周囲の人等の物体が左から右へ移動して、人の移動方向が第１移動方向Ｍ１の状態であると検出する。そして、第１変更部２６は、状態検出部２５の検出結果に応じて第２状態画像Ｐ３２をドア１１の表面に投影部２１によって投影させる。このとき、第２状態画像Ｐ３２は、ゾウが左を向いた画像である。
【００９１】
さて、このような自動ドア１０においては、ドア１１の周囲における人等の物体の移動方向に応じて像が変更されるので、上記のように像を変更した場合には、通行者は投影されたゾウの見たい部分を、自分が移動することで投影させることができる。
【００９２】
以上説明したように、本実施形態によれば、第１の実施形態の（１）及び（２）の効果に加え、以下の効果を奏することができる。
（４）通行者等の物体の状態が所定の移動方向の状態であるときに、ドア１１の表面における像が変更される。このため、通行者等の物体の所定の状態に応じた像を投影することができ、通行者の興味をひくことができるようになる。
【００９３】
（第４の実施形態）
以下、図５及び図１１を参照して、投影装置及び自動ドアシステムの第４の実施形態について説明する。この実施形態の投影装置及び自動ドアシステムは、ドアに対する物体としての人の位置に合わせて、ドアの表面に投影される像が変更される点が上記第２の実施形態と異なっている。以下、第２の実施形態との相違点を中心に説明する。
【００９４】
図５に示すように、制御装置２２は、第１変更部２６は、状態検出部２５が検出した物体の状態が、ドア１１に対して所定の位置であるときに像を変更する。すなわち、第１変更部２６は、物体の位置に応じて投影部２１によって投影される像を変更させる。像の投影に用いられる基準データは、物体の位置毎に予め用意されている。設定部２３は、第１変更部２６によって変更された基準データを用い、ドア１１の位置にドア用画像Ｐａの位置を合わせるように、基準データに対し画像処理を行う。
【００９５】
図１１の破線に示すように、自動ドア１０のドア１１の周囲には、センサ１６によって検出されるセンサエリアＳが形成されている。状態検出部２５は、このセンサエリアＳ内を分割した各エリアのどのエリアで物体を検出したかによって位置を検出する。
【００９６】
次に、図１１を参照して、上記のように構成された投影装置２０及び自動ドアシステムの動作について説明する。ここでは、スーパー等の建物に設置された自動ドア１０における投影装置２０及び自動ドアシステムの動作について説明する。なお、ドア１１は閉まっている状態として説明する。店舗内から人が出てくる場合には、ドア１１が開いて、ドア１１の位置に応じて像の位置が変更される。
【００９７】
図１１（ａ）に示すように、状態検出部２５は、ドア１１の周囲のセンサエリアＳのドア１１に近くて左側の各エリアのいずれかに人等の物体が位置していると検出する。そして、第１変更部２６は、状態検出部２５の検出結果に応じて第１状態画像Ｐ４１をドア１１の表面に投影部２１によって投影させる。このとき、第１状態画像Ｐ４１は、例えばみかんの画像である。
【００９８】
図１１（ｂ）に示すように、状態検出部２５は、ドア１１の周囲のセンサエリアＳのドア１１に近い右側部分から中央部分から遠い左側部分の各エリアのいずれかに人等の物体が位置していると検出する。そして、第１変更部２６は、状態検出部２５の検出結果に応じて第２状態画像Ｐ４２をドア１１の表面に投影部２１によって投影させる。このとき、第２状態画像Ｐ４２は、例えばいちごの画像である。
【００９９】
図１１（ｃ）に示すように、状態検出部２５は、ドア１１の周囲のセンサエリアＳのドア１１に遠くて右側の各エリアのいずれかに人等の物体が位置していると検出する。そして、第１変更部２６は、状態検出部２５の検出結果に応じて第３状態画像Ｐ４３をドア１１の表面に投影部２１によって投影させる。このとき、第３状態画像Ｐ４３は、例えばりんごやバナナの画像である。
【０１００】
さて、このような自動ドア１０においては、ドア１１の周囲における人等の物体のドア１１に対する位置に応じて画像が変更される。このため、上記のように画像を変更した場合には、通行者はドア１１に近づいて入店を躊躇していたり、通り過ぎようとしたりしたときに異なる画像に変更されて、通行者の移動によってさらに商品を、自動ドア１０を介して提供することができる。
【０１０１】
以上説明したように、本実施形態によれば、第１の実施形態の（１）及び（２）の効果に加え、以下の効果を奏することができる。
（５）通行者等の物体の状態が所定の位置の状態であるときに、ドア１１の表面における像が変更される。このため、通行者等の物体の所定の状態に応じた像を投影することができ、通行者の興味をひくことができるようになる。
【０１０２】
（第５の実施形態）
以下、図１２及び図１３を参照して、投影装置及び自動ドアシステムの第５の実施形態について説明する。この実施形態の投影装置及び自動ドアシステムは、ドアの周辺に位置する物体としての人を撮影して、撮影した人に装飾を合成した像をドアの表面に投影する点が上記第１の実施形態と異なっている。以下、第１の実施形態との相違点を中心に説明する。
【０１０３】
図１２に示すように、制御装置２２には、ドア１１の周辺に位置する物体を撮影する撮影部２７が接続されている。撮影部２７は、例えばカメラであって、ドア１１の周囲に位置する通行者を撮影して、撮影した画像を生成部２８に出力する。生成部２８は、撮影した画像の通行者に装飾として、例えば異なる服を合成した画像を生成して、設定部２３に基準データとして出力する。設定部２３は、生成部２８が生成した基準データに画像処理を行う。投影部２１は、投影データが示す像を投影する。画像は、ドア１１の周囲に通行者が位置する度に生成される。装飾される服等のデータは予め用意されている。設定部２３は、生成部２８によって生成された像を、ドア１１の位置に合わせて投影させる。
【０１０４】
次に、図１３を参照して、上記のように構成された投影装置２０及び自動ドアシステムの動作について説明する。ここでは、服屋等の建物に設置された自動ドア１０における投影装置２０及び自動ドアシステムの動作について説明する。なお、ドア１１は閉まっている状態として説明する。店舗内から人が出てくる場合には、ドア１１が開いて、ドア１１の位置に応じて像の位置が変更される。
【０１０５】
まず、図１３に示すように、撮影部２７は、ドア１１の周囲に通行者Ｈが位置すると、通行者Ｈを撮影して、撮影した画像データを生成部２８に出力する。そして、生成部２８は、撮影部２７が撮影した画像データの通行者Ｈが着ている服Ｗ１を服店で販売している服Ｗ２に替わるように合成して、合成した画像データを生成して設定部２３に出力する。設定部２３は、生成部２８によって生成された画像データの合成画像Ｐ５１をドア１１の表面に投影部２１によって投影させる。このとき、合成画像Ｐ５１は、例えばドア１１の周囲に位置する通行者Ｈが着ている服Ｗ１と異なる服Ｗ２を着た通行者Ｈの画像である。
【０１０６】
さて、このような自動ドア１０においては、ドア１１の周囲における通行者Ｈを装飾した画像が投影されるので、通行者Ｈは服店の商品が着せられた自分を見ることができ、服店で販売している商品を自分に着せながら把握することができる。よって、通行者Ｈは、購買意欲がかきたてられる。
【０１０７】
以上説明したように、本実施形態によれば、第１の実施形態の（１）及び（２）の効果に加え、以下の効果を奏することができる。
（６）撮影した通行者Ｈに装飾を合成したデータが生成されて、生成されたデータの像がドア１１の表面に投影される。このため、通行者Ｈ自体の投影を変更させることができ、通行者Ｈの興味をひくことができるようになる。
【０１０８】
（第６の実施形態）
以下、図１４及び図１５を参照して、投影装置及び自動ドアシステムの第６の実施形態について説明する。この実施形態の投影装置及び自動ドアシステムは、ドアに対する通行者の動作を検出して、ドアの表面に投影される像が変更される点が上記第１の実施形態と異なっている。以下、第１の実施形態との相違点を中心に説明する。
【０１０９】
図１４に示すように、制御装置２２には、ドア１１に対する通行者の動作を検出する動作検出部３０が接続されている。動作検出部３０は、例えば光学式イメージセンサであって、ドア１１の表面に対する通行者によるタッチ操作を検出可能である。動作検出部３０は、例えば通行者がドア１１の表面に対して行ったタッチ操作を検出することで、通行者の動作を検出する。また、制御装置２２は、動作検出部３０が通行者の動作を検出したときに、ドア１１の表面における像を投影部２１に変更させる第２変更部３１をさらに備える。第２変更部３１は、例えば動作検出部３０が検出した通行者の動作に合わせて、ドア１１の表面に投影される像を変更して、投影部２１によって投影させる。像の投影に用いられる基準データは、通行者の動作毎に予め用意されている。設定部２３は、第２変更部３１によって変更された基準データを用い、ドア１１の位置にドア用画像Ｐａの位置を合わせるように、基準データに対し画像処理を行う。また、制御装置２２は、ドア１１の表面に投影された像に応じた通行者の動作が予め定められた動作と一致したときにドア１１の開閉を許可する開閉許可部３２とを備える。開閉許可部３２は、動作検出部３０によって通行者の動作を検出して予め定められた動作と一致したときにドア１１の開閉を許可する。
【０１１０】
次に、図１５を参照して、上記のように構成された投影装置２０及び自動ドアシステムの動作について説明する。ここでは、おもちゃ屋等の建物に設置された自動ドア１０における投影装置２０及び自動ドアシステムの動作について説明する。
【０１１１】
まず、図１５（ａ）に示すように、自動ドア１０の閉じているドア１１及びフィックス１２の表面には、りんごと、りんごが欲しそうな擬人化した猫とを含んだ第１状態画像Ｐ６１が投影部２１によって投影されている。通行者Ｈは、自動ドア１０に近づいてきている。
【０１１２】
続いて、図１５（ｂ）に示すように、自動ドア１０のドア１１及びフィックス１２の表面には、第１状態画像Ｐ６１が投影部２１によって投影されている。通行者Ｈは、自動ドア１０に近づいて、ドア１１の表面に投影されたりんごに手を伸ばしている。このとき、動作検出部３０は、通行者Ｈのりんごの画像へのタッチ操作を検出している。動作検出部３０は、ここから通行者Ｈがタッチ操作しながら動作したらその動作を検出して第２変更部３１に出力する。
【０１１３】
続いて、図１５（ｃ）に示すように、自動ドア１０のドア１１及びフィックス１２の表面には、擬人化した猫がりんごを持っている第２状態画像Ｐ６２が投影部２１によって投影されている。通行者Ｈは、ドア１１の表面に投影されたりんごに触れて擬人化した猫まで運んでいる。動作検出部３０は、通行者Ｈがりんごの画像に触れて動かしている動作を検出して、第２変更部３１に出力する。第２変更部３１は、動作検出部３０が検出した通行者Ｈの動作に合わせて、りんごの位置を変更した画像を投影部２１に投影させる。投影装置２０の制御装置２２は、自動ドア１０に投影された画像のりんごが擬人化した猫に渡されると、予め定められた動作と一致するのでドア１１の開閉を許可して、自動ドア１０のドア制御部１４に対してドア１１を開かせる。
【０１１４】
続いて、図１５（ｄ）に示すように、自動ドア１０のドア１１が開いて、ドア１１の表面には、擬人化した猫がりんごをもらって喜んでいる第３状態画像Ｐ６３が投影部２１によって投影されている。通行者Ｈは、開いたドア１１を通過している。
【０１１５】
さて、このような自動ドア１０においては、ドア１１の表面に対する通行者Ｈの動作によってドア１１の表面の画像を変更することができる。また、予め決まった動作を行ったときにのみドア１１を開けるようにすれば、簡易の鍵として使用することができる。
【０１１６】
以上説明したように、本実施形態によれば、第１の実施形態の（１）及び（２）の効果に加え、以下の効果を奏することができる。
（７）通行者Ｈの動作に応じて、ドア１１の表面における像が変更される。このため、通行者Ｈの動作によってドア１１の表面の像を変更することができる。
【０１１７】
（８）ドア１１の表面における像に応じた通行者Ｈの動作が予め定められた動作と一致したときに、ドア１１の開閉が許可される。このため、ドア１１の運営者がドア１１の開閉方法を任意に指定することができる。また、簡易の鍵として使用することができるようになる。
【０１１８】
（第７の実施形態）
以下、図１６及び図１７を参照して、投影装置及び自動ドアシステムの第７の実施形態について説明する。この実施形態の投影装置及び自動ドアシステムは、ドアの表面に投影している情報を、ドアの周辺における通行者が携帯する携帯端末に送信する点が上記第１の実施形態と異なっている。以下、第１の実施形態との相違点を中心に説明する。
【０１１９】
図１６に示すように、制御装置２２には、ドア１１の周辺における通行者が携帯する携帯端末に情報を送信する送信部３３が接続されている。送信部３３は、ドア１１の表面に投影している情報を携帯端末に送信する。送信部３３は、例えばＵＨＦ（Ｕｌｔｒａ  Ｈｉｇｈ  Ｆｒｅｑｕｅｎｃｙ）帯の無線通信によって送信する。携帯端末は、送信部３３から送信された無線信号を受信できる受信機能を有する端末であればよい。また、制御装置２２は、投影する像の情報を外部から取得する外部接続部３４と、外部接続部３４から入力された情報のデータを記憶するデータ記憶部３５とをさらに備える。外部接続部３４は、例えばメモリーカード等の記憶メディアに記憶されたデータを読み出すリーダであって、読み出したデータをデータ記憶部３５に出力する。データ記憶部３５は、外部接続部３４から入力されたデータを記憶し、記憶したデータを基準データとして設定部２３に画像処理させたり、送信部３３によって送信させたりする。投影装置２０は、データ記憶部３５に記憶したデータに含まれる画像を投影部２１によってドア１１の表面に投影させる。また、投影装置２０は、このドア１１の表面に投影された画像に関連した情報を、送信部３３を介してドア１１の周辺における通行者が携帯する携帯端末に送信する。
【０１２０】
次に、図１７を参照して、上記のように構成された投影装置２０及び自動ドアシステムの動作について説明する。ここでは、スーパー等の建物に設置された自動ドア１０における投影装置２０及び自動ドアシステムの動作について説明する。
【０１２１】
まず、図１７（ａ）に示すように、自動ドア１０の閉じているドア１１の表面には、例えば「お買得！」との文字を含む第１状態画像Ｐ７１が投影部２１によって投影されている。そして、ドア１１の周辺に通行者Ｈが近づくと、ドア１１に近づいた通行者Ｈが携帯する携帯端末５０に対して投影装置２０の送信部３３からドア１１に投影しているお買得な商品の情報が送信される。
【０１２２】
続いて、図１７（ｂ）に示すように、ドア１１に近づいた通行者Ｈが携帯する携帯端末５０には、取得情報としてお買得な商品の情報が記憶され、必要に応じて投影される。投影装置２０は、お買得な商品の情報を送信すると、ドア１１の表面に投影していた第１状態画像Ｐ７１の投影を止める。こうすることで、ドア１１に近づいた通行者Ｈには、ドア１１に投影されていた情報が携帯端末に取得されたことが視認されるようにできる。通行者Ｈは、開いたドア１１を通過して入店することができる。
【０１２３】
さて、このような自動ドア１０においては、ドア１１に投影した情報をドア１１に近づいた通行者Ｈの携帯端末５０に、ドア１１に投影した情報が送信されるので、ドア１１に投影された情報とともに、例えばさらに詳しい情報等を取得して確認することができるようになる。
【０１２４】
以上説明したように、本実施形態によれば、第１の実施形態の（１）及び（２）の効果に加え、以下の効果を奏することができる。
（９）通行者Ｈが携帯している携帯端末５０にドア１１の表面に投影されている情報を取り込むことができる。このため、通行者Ｈはドア１１を通過した後に投影されていた情報を確認することができるようになる。
【０１２５】
（１０）外部接続部３４を介して外部から投影する像の情報を取得することができる。このため、ドア１１の運営者又は所有者がドア１１の表面に投影させる像を自由に変更することができる。
【０１２６】
（第８の実施形態）
以下、図１８及び図１９を参照して、投影装置及び自動ドアシステムの第８の実施形態について説明する。この実施形態の投影装置及び自動ドアシステムは、携帯端末が保持している情報を受信したときに、ドアの表面における像が受信した情報に応じた像に変更される点が上記第１の実施形態と異なっている。以下、第１の実施形態との相違点を中心に説明する。
【０１２７】
図１８に示すように、制御装置２２には、ドア１１の周辺における通行者が携帯する携帯端末と通信する通信部３６が接続されている。通信部３６は、携帯端末から送信された情報を受信する。通信部３６は、携帯端末から例えばＵＨＦ（Ｕｌｔｒａ  Ｈｉｇｈ  Ｆｒｅｑｕｅｎｃｙ）帯の無線通信によって送信された情報を受信する。また、制御装置２２は、携帯端末が保持している情報を通信部３６が受信したときに、投影部２１が投影する像を、受信した情報に応じた像に変更する第３変更部３７をさらに備える。すなわち、投影装置２０は、通信部３６を介して取得したデータに含まれる画像を投影部２１によってドア１１の表面に投影させる。また、投影装置２０は、携帯端末から送信された情報を取得して、携帯端末から送信された情報に基づいてドア１１の表面に画像を投影させる。
【０１２８】
次に、図１９を参照して、上記のように構成された投影装置２０及び自動ドアシステムの動作について説明する。ここでは、店舗等の建物に設置された自動ドア１０における投影装置２０及び自動ドアシステムの動作について説明する。
【０１２９】
まず、図１９（ａ）に示すように、自動ドア１０の閉じているドア１１の表面には、画像が投影部２１によって投影されていない。そして、ドア１１の周辺に通行者Ｈが近づくと、ドア１１に近づいた通行者Ｈが携帯する携帯端末５０からドア１１の表面における画像の情報が送信される。携帯端末５０には、ドア１１の表面に投影する像の色情報が保持されている。色情報は、例えば左側のドア１１が青色、右側のドア１１が黄色とする。携帯端末５０は、この色情報を自動ドア１０に送信する。投影装置２０の通信部３６は、携帯端末５０から送信された色情報を通信部３６によって取得する。
【０１３０】
続いて、図１９（ｂ）に示すように、携帯端末５０から送信された色情報を通信部３６を介して取得すると、制御装置２２の第３変更部３７は、取得した色情報に応じて、左側のドア１１の表面の画像を青色の画像に、右側のドア１１の表面の画像を黄色の画像に変更して、投影部２１に投影させる。
【０１３１】
さて、このような自動ドア１０においては、通行者Ｈが携帯する携帯端末５０が保持する色情報に応じた画像をドア１１の表面に投影させるので、通行者Ｈの好みの色にドア１１を変更することができる。
【０１３２】
以上説明したように、本実施形態によれば、第１の実施形態の（１）及び（２）の効果に加え、以下の効果を奏することができる。
（１１）通行者Ｈが携帯している携帯端末５０に保持されている情報をドア１１の表面に投影させることができる。このため、通行者Ｈが必要とする情報をドア１１の表面に投影させることができる。
【０１３３】
（第９の実施形態）
以下、図２０及び図２１を参照して、投影装置及び自動ドアシステムの第９の実施形態について説明する。この実施形態の投影装置及び自動ドアシステムは、ドアの周辺に対する通行者の外観を検出して、検出した通行者の外観に応じてドアの表面に投影される像が変更される点が上記第１の実施形態と異なっている。以下、第１の実施形態との相違点を中心に説明する。
【０１３４】
図２０に示すように、制御装置２２は、ドア１１の周辺に対する通行者の外観を検出する外観検出部３８と、外観検出部３８が検出した通行者の外観に応じてドア１１の表面における像を投影部２１に変更させる第４変更部３９とをさらに備える。制御装置２２には、撮影部２７が接続されている。撮影部２７は、例えばカメラであって、ドア１１の周辺に位置する通行者を撮影して、撮影した画像を外観検出部３８に出力する。外観検出部３８は、撮影部２７から入力された画像から通行者の外観の情報を検出して、外観として例えば色情報を第４変更部３９に出力する。第４変更部３９は、外観検出部３８から入力された通行者の外観として例えば色情報に応じて基準データを変更する。設定部２３は、第４変更部３９によって変更された基準データを用い、ドア１１の位置にドア用画像Ｐａの位置を合わせるように、基準データに対し画像処理を行う。
【０１３５】
次に、図２１を参照して、上記のように構成された投影装置２０及び自動ドアシステムの動作について説明する。ここでは、店舗等の建物に設置された自動ドア１０における投影装置２０及び自動ドアシステムの動作について説明する。
【０１３６】
まず、図２１（ａ）に示すように、自動ドア１０の閉じているドア１１の表面には、像が投影部２１によって投影されていない。そして、ドア１１の周辺に通行者Ｈが近づいてセンサエリアＳに進入すると、撮影部２７は通行者Ｈを撮影する。撮影部２７は、撮影した画像を外観検出部３８に出力する。外観検出部３８は、撮影した画像から通行者Ｈの外観の色情報として例えば青色を検出して、第４変更部３９に出力する。
【０１３７】
続いて、図２１（ｂ）に示すように、第４変更部３９は、外観検出部３８から入力された色情報に応じてドア１１の表面を青色の画像に変更して、投影部２１に投影させる。よって、通行者Ｈの外観の色と、ドア１１の表面の色とが同じ色となる。
【０１３８】
さて、このような自動ドア１０においては、通行者Ｈの外観の色情報に応じた画像をドア１１の表面に投影させるので、通行者Ｈの外観を店内にいる店員等が知ることができる。
【０１３９】
以上説明したように、本実施形態によれば、第１の実施形態の（１）及び（２）の効果に加え、以下の効果を奏することができる。
（１２）外観検出部３８によって検出された通行者Ｈの外観に応じて、ドア１１の表面における像が変更される。このため、第３者が通行者Ｈの外観を遠方から認識することができるようになる。
【０１４０】
（第１０の実施形態）
以下、図２２〜図２４を参照して、投影装置及び自動ドアシステムの第１０の実施形態について説明する。この実施形態の投影装置及び自動ドアシステムは、ドアの表面に複数の異なる像を切り替えながら投影させて、ドアを通行者が通過したときに投影されている像が選択されたと判断される点が上記第１の実施形態と異なっている。以下、第１の実施形態との相違点を中心に説明する。
【０１４１】
図２２に示すように、制御装置２２は、ドア１１を通行者が通過したことを検知する通過検知部４１と、ドア１１の表面に複数の異なる像を切り替えながら投影部２１に投影させる切替部４２とを備える。通過検知部４１は、自動ドア１０に設けられるセンサ１６によって検出される通行者の位置及び移動方向を取得することで、通行者がドア１１を通過したことを検知する。切替部４２は、予め用意された基準データを一定間隔毎に切り替えて、異なる像を一定間隔毎に投影部２１に投影させる。また、制御装置２２は、通行者がドア１１を通過したことを通過検知部４１が検知したときに、通行者がドア１１を通過したときに投影されている像が、通行者によって選択されたと判断する判断部４３とをさらに備える。
【０１４２】
切替部４２によって切り替えられた画像が投影されているときに、ドア１１が開くエリアに通行者が進入すると、そのときの画像を投影した状態でドア１１は開く。そして、ドア１１の位置とドア用画像Ｐａの位置とが合うように、設定部２３は像を投影する。
【０１４３】
次に、図２３及び図２４を参照して、上記のように構成された投影装置２０及び自動ドアシステムの動作について説明する。ここでは、飲食店等の建物に設置された自動ドア１０における投影装置２０及び自動ドアシステムの動作について説明する。
【０１４４】
図２３に示すように、自動ドア１０のドア１１の表面には、画像ＰＡ、画像ＰＢ、画像ＰＣ、画像ＰＤの４種類の画像が順に切替部４２によって一定時間毎に切り替えられて投影される。なお、４種類の画像には、異なる定食がそれぞれ描かれているとする。ここでの一定時間は、通行者が画像を見て、選択することを決定して、ドア１１が開くオープンエリアに進入するまでの時間に相当する時間である。
【０１４５】
まず、図２４（ａ）に示すように、自動ドア１０の閉じているドア１１の表面には、画像が順に切り替えられて、画像ＰＣが投影された状態である。通行者Ｈは、センサエリアＳに進入しているが、ドア１１が開くオープンエリアＳｏには進入していない。
【０１４６】
続いて、図２４（ｂ）に示すように、通行者ＨがオープンエリアＳｏに進入すると、切替部４２は画像の切り替えを停止して、画像ＰＣを維持する。そして、通行者Ｈがドア１１を通過すると、判断部４３は、画像ＰＣの表示が選択されたと判断する。すなわち、判断部４３は、画像ＰＣに描かれた定食を通行者Ｈが選択したとして、厨房等に注文として出力する。
【０１４７】
さて、このような自動ドア１０においては、ドア１１の表面の画像を切り替えて投影して、通行者Ｈがドア１１を通過することで選択できるので、自動ドア１０を選択ツールとして使用することができるようになる。
【０１４８】
以上説明したように、本実施形態によれば、第１の実施形態の（１）及び（２）の効果に加え、以下の効果を奏することができる。
（１３）切り替わりながら複数の異なる像がドア１１の表面に投影され、ドア１１を通行者Ｈが通過したときに投影されている像が選択されたと判断される。このため、通行者Ｈがドア１１を通行することで通行者Ｈの意思に応じた選択を行うことができるようになる。
【０１４９】
（第１１の実施形態）
以下、図２５〜図２７を参照して、投影装置及び自動ドアシステムの第１１の実施形態について説明する。この実施形態の投影装置及び自動ドアシステムは、ドアの閉状態の経過時間に応じてドアの表面に投影される像が変更される点が上記第１の実施形態と異なっている。以下、第１の実施形態との相違点を中心に説明する。
【０１５０】
図２５に示すように、制御装置２２は、ドア１１が閉状態に遷移してから経過した時間である経過時間を検出する経過時間検出部４４と、ドア１１の閉状態の経過時間に応じてドア１１の表面に投影させる像を変更させる第５変更部４５とをさらに備える。経過時間検出部４４は、自動ドア１０のドア位置検出部１５の検出結果を取得することで、ドア１１が閉状態となったことを把握して、ドア１１が閉状態となってからの経過時間を検出して、その経過時間を第５変更部４５に出力する。第５変更部４５は、ドア１１の閉状態の経過時間に応じて基準データを変更させるとともに、ドア１１が開状態となったときに、ドア１１が閉状態であるときから基準データをさらに変更させる。
【０１５１】
次に、図２６及び図２７を参照して、上記のように構成された投影装置２０及び自動ドアシステムの動作について説明する。ここでは、店舗等の建物に設置された自動ドア１０における投影装置２０及び自動ドアシステムの動作について説明する。
【０１５２】
図２６に示すように、自動ドア１０のドア１１の表面には、画像ＰＡ、画像ＰＢ、画像ＰＣ、画像ＰＤの４種類の画像が順に切替部４２によって一定時間毎に切り替えられて投影される。なお、４種類の画像には、異なる定食がそれぞれ描かれているとする。ここでの一定時間は、通行者が画像を見て、選択することを決定して、ドア１１が開くオープンエリアに進入するまでの時間に相当する時間である。
【０１５３】
まず、図２６（ａ）に示すように、自動ドア１０のドア１１が閉じられたばかりのときには、何も止まっていない電線が描かれた第１状態画像Ｐ１１１がドア１１の表面に投影されている。経過時間検出部４４は、ドア１１が閉状態となったときから経過時間を検出している。
【０１５４】
続いて、図２６（ｂ）に示すように、自動ドア１０のドア１１が閉じられて数分、例えば２分経過したときには、電線に２羽の鳥が止まっている第２状態画像Ｐ１１２がドア１１の表面に投影されている。ここでは、ドア１１が閉状態となってから１分経過する毎に鳥が１羽増えることとする。すなわち、経過時間検出部４４がドア１１の閉状態の経過時間を検出して、第５変更部４５が検出された経過時間に応じて画像を変更する。
【０１５５】
続いて、図２６（ｃ）に示すように、自動ドア１０のドア１１が閉じられて例えば５分経過したときには、電線に５羽の鳥が止まっている第３状態画像Ｐ１１３がドア１１の表面に投影されている。
【０１５６】
続いて、図２６（ｄ）に示すように、自動ドア１０のドア１１が閉じられて例えば９分経過したときには、電線に９羽の鳥が止まっている第４状態画像Ｐ１１４がドア１１の表面に投影されている。
【０１５７】
そして、図２７に示すように、ドア１１が開かれると、ドア１１が閉状態のときとは異なる第５状態画像Ｐ１１５が投影部２１によってドア１１の表面に投影される。第５状態画像Ｐ１１５は、電線に止まっていた鳥が飛び立った画像である。通行者Ｈは、開いたドア１１を通過して店内に進入する。
【０１５８】
さて、このような自動ドア１０においては、ドア１１の表面に、ドア１１の閉状態の経過時間に応じた画像を投影するので、ドア１１を見ることでドア１１の通行頻度を確認することができる。
【０１５９】
以上説明したように、本実施形態によれば、第１の実施形態の（１）及び（２）の効果に加え、以下の効果を奏することができる。
（１４）ドア１１が閉状態に遷移してからの経過時間に応じて、ドア１１の表面における像が変化される。このため、ドア１１の表面を見ることでドア１１の通行頻度を遠方から確認することができる。
【０１６０】
（他の実施形態）
なお、上記各実施形態は、これを適宜変更した以下の形態にて実施することもできる。
・上記各実施形態において、設定部２３がフィックス１２の面を明像の投影される位置として投影部２１に設定してもよい。すなわち、図２８に示すように、ドア１１に投影されるドア用画像Ｐａ及びフィックス１２に投影されるフィックス用画像Ｐｂを明像とする。また、ドア１１及びフィックス１２の全体に連続した像である第１画像Ｐ１２１を投影してもよい。そして、図２９に示すように、ドア１１が開いたときには、通路用画像Ｐｃを暗像として投影し、左右それぞれのドア１１及びフィックス１２を連続した像である第２画像Ｐ１２２を投影してもよい。このようにすれば、ドア１１だけでなくフィックス１２も含めて明像が投影されるので、明像の投影面積をドア１１のみよりも大きくすることができ、視認性を高めることができる。
【０１６１】
・上記各実施形態において、設定部２３がフィックス１２の面を暗像の投影される位置として投影部２１に設定してもよい。すなわち、図３０に示すように、ドア１１に投影されるドア用画像Ｐａを明像として、フィックス１２に投影されるフィックス用画像Ｐｂを暗像とした第３画像Ｐ１２３を投影する。このようにすれば、フィックス１２に暗像が投影されるので、フィックス１２の前に位置する人が像を見たとしても、投影された像による眩しさを軽減することができる。またドア１１の明像をより強調することができる。
【０１６２】
・上記各実施形態において、図３１に示すように、設定部２３がフィックス１２の面の一部である第１フィックス部１２ａを明像の投影される位置として投影部２１に設定し、且つ、フィックス１２の面において第１フィックス部１２ａ以外の第２フィックス部１２ｂを暗像の投影される位置として投影部２１に設定してもよい。このとき、投影部２１は、第１フィックス部１２ａに投影される明像である第１フィックス用画像Ｐｂと、第２フィックス部１２ｂに投影される暗像である第２フィックス用画像Ｐｄとを含む第４画像Ｐ１２４を投影する。このようにすれば、明像が投影される第１フィックス部１２ａを第２フィックス部１２ｂよりも際立たせて強調することができる。
【０１６３】
・また、図３２（ａ）〜（ｃ）に示すように、ドア１１を全開したときにフィックス１２の面においてドア１１と対向しない部分を上記の第２フィックス部１２ｂとしてもよい。図３２（ｃ）に示すように、自動ドアにおいては全開時にドア１１の戸先縦かまち１１ｃとフィックス１２の方立１２ｃとの間に所定値（例えば３０ｍｍ）以上の隙間Ｃを設けているため、全開時にフィックス１２の面においてドア１１と対向しない部分が存在する。このように第２フィックス部１２ｂを設定することで、ドア１１の全閉時（図３２（ａ））から全開時（図３２（ｃ））までのドア１１の存在位置を明像の投射される範囲として設定することができる。
【０１６４】
・上記各実施形態において、フィックス１２の面の少なくとも一部は、投影部２１からの光の反射を抑える色部を備えてもよい。この色部は、光の反射を抑える材質からなるフィルムやシートであって、投影された像を通行者等に視認されたくない部分に貼り付けられる。例えば、上記の第２フィックス部１２ｂに色部を設ける。このようにすれば、投影される像を暗像に設定することなく、投影される像が明像であったとしても色部によって通行者等が視認できないようにすることができる。なお、色部は、フィルムやシートでなく、フィックス１２を構成するガラス等に光の反射を抑える材質が含まれることでフィックス１２に設けられていてもよい。
【０１６５】
・上記各実施形態において、図３３に示すように、設定部２３がドア１１の面の一部である第１部１１ａを明像の投影される位置として投影部２１に設定し、ドア１１の面において第１部１１ａ以外の第２部１１ｂを暗像の投影される位置として投影部２１に設定してもよい。例えば、ドア１１の戸尻縦かまちの部分を第２部１１ｂとしてもよい。このとき、投影部２１は、第１部１１ａに投影される明像であるドア用画像Ｐａと、第２部１１ｂに投影される第２ドア用画像Ｐｅとを含む第５画像Ｐ１２５が投影する。また、フィックス１２に暗像であるフィックス用画像Ｐｂを投影する。このようにすれば、ドア１１の第１部１１ａに明像が投影され、ドア１１の第２部１１ｂに暗像が投影されることで、明像が投影される第１部１１ａを第２部１１ｂよりも際立たせて強調することができる。
【０１６６】
・上記各実施形態において、ドア１１の面の少なくとも一部は、投影部２１からの光の反射を抑える色部を備えてもよい。この色部は、光の反射を抑える材質からなるフィルムやシートであって、投影された像を通行者等に視認されたくないドア１１の部分に貼り付けられる。このようにすれば、ドア１１の面の一部に投影された像を視認できない色部を備えるので、投影される像を暗像に設定することなく、投影される像が明像であったとしても色部によって通行者等が視認できないようにできる。なお、色部は、フィルムやシートでなく、ドア１１を構成するガラス等に光の反射を抑える材質が含まれることでドア１１に設けられていてもよい。例えば、ドア１１の戸尻縦かまちの部分に色部を設けてもよい。
【０１６７】
・上記各実施形態において、設定部２３がドア１１の面の一部を像の投影されない位置として投影部２１に設定してもよい。例えば、図３３の第２部１１ｂに像自体を投影しないようにする。このようにすれば、ドア１１の面の一部に設定された部分に像が投影されないので、ドア１１の面の一部において眩しさを軽減することができる。
【０１６８】
・また、図３４に示すように、設定部２３がドア１１の面の一部である第１部１１ａを明像の投影される位置として投影部２１に設定し、ドア１１の面において第１部１１ａ以外の第２部１１ｂを暗像の投影される位置として投影部２１に設定してもよい。第１部１１ａは連接する２枚のドア１１の中央部分に相当する。このとき、投影部２１は、第１部１１ａに投影される明像であるドア用画像Ｐａと、第２部１１ｂに投影される第２ドア用画像Ｐｅとを含む第６画像Ｐ１２６を投影する。このようにすれば、ドア１１の第１部１１ａに明像が投影され、ドア１１の第２部１１ｂに暗像が投影されることで、明像が投影される第１部１１ａを第２部１１ｂよりも際立たせて強調することができる。
【０１６９】
・上記各実施形態において、設定部２３がフィックス１２の面の一部を像の投影されない位置として投影部２１に設定してもよい。例えば、図３５に示すように、ドア１１を全開時にフィックス１２の面においてドア１１と対向しない部分である第２フィックス部１２ｂを投影されない位置として、第２フィックス部１２ｂ以外の第１フィックス部１２ａとドア１１とを投射範囲Ｒとしてもよい。このようにすれば、フィックス１２の面の一部（第２フィックス部１２ｂ）に像が投影されないので、フィックス１２の面の一部において眩しさを軽減することができる。また、ドア１１の全閉時から全開時までのドア１１の存在位置を像の投射される範囲として設定することができる。
【０１７０】
・上記各実施形態において、図３６に示すように、投影部２１が、フィックス１２の面とドア１１の面とを投影対象に含める投光部２１ａと、フィックス１２の面の少なくとも一部への投光部２１ａによる投影を遮蔽可能に構成された遮蔽部２１ｂとを備えてもよい。このようにすれば、投影部２１に投影を遮蔽する遮蔽部２１ｂを備えるので、投影される像を暗像に設定することなく、投影される像が明像であったとしても遮蔽部２１ｂによって遮蔽することで眩しさを軽減することができる。
【０１７１】
・上記各実施形態において、設定部２３の備える画像処理部は、右側のドア１１用の投影データと、左側のドア１１用の投影データを生成することに際し、共通する１つの基準データに別々の切り出しを行ってもよい。すなわち、設定部２３が備える画像処理部は、１つの基準データに対し、右側のドア１１の表面にドア用画像Ｐａが位置するように、右側用の切り出しを行い、また、同じ基準データに対し、左側のドア１１の表面にドア用画像Ｐａが位置するように、左側用の切り出しを行ってもよい。こうした構成であれば、右側のドア１１に投影される像と、左側のドア１１に投影される像とが、そもそも１つの基準データから得られるものであるため、右側のドア１１に投影される像と、左側のドア１１に投影される像との対称性や統一感を高めることが可能である。
【０１７２】
・上記各実施形態において、設定部２３は、ドア用画像Ｐａ用の基準データと、フィックス用画像Ｐｂ用の基準データと、通路用画像Ｐｃ用の基準データとを別々に保持し、各基準データから切り出された投影データを合成することによって、右側用の投影データを生成してもよい。同様に、設定部２３は、ドア用画像Ｐａ用の基準データと、フィックス用画像Ｐｂ用の基準データと、通路用画像Ｐｃ用の基準データとを別々に保持し、各基準データから切り出された投影データを合成することによって、左側用の投影データを生成してもよい。
【０１７３】
上記変形例に記載したように、１つの基準データからこれら３つの画像用の投影データを切り出す構成においては、例えば、ドア用画像Ｐａに含まれるキャラクターと、フィックス用画像Ｐｂに含まれるキャラクターとの相対的な位置が、１つの基準データ内において予め定められている。言い換えれば、１つの基準データからこれら３つの画像用の投影データを切り出す構成においては、各画像に含まれるキャラクター間の相対位置などが、基準データ内において定められている。それゆえに、ドア用画像Ｐａに含まれるキャラクターの位置をドア１１に対し固定する一方で、フィックス用画像Ｐｂに含まれるキャラクターの位置を変えることが難しい。
【０１７４】
一方で、上述したように、３つの画像用の投影データが別々の基準データから切り出される構成においては、例えば、ドア用画像Ｐａに含まれるキャラクターと、フィックス用画像Ｐｂに含まれるキャラクターとの相対的な位置が、別々の基準データ間において定められている。それゆえに、ドア用画像Ｐａに含まれるキャラクターの位置をドア１１に対し固定する一方で、フィックス用画像Ｐｂに含まれるキャラクターの位置を変えることが容易でもある。
【０１７５】
・上記各実施形態では、自動ドア１０と投影装置２０との間で近距離無線通信によって通信したが、近距離無線通信に限らず、無線ＬＡＮ等の他の無線通信を用いてもよい。また、無線ではなく、有線によって通信してもよい。
【０１７６】
・上記第１の実施形態において、ドア１１が開く方向へ移動するときと、ドア１１が閉じる方向へ移動するときとで異なる基準データを用いてもよい。この場合には、ドア１１が開くとき用の基準データとドア１１が閉じるとき用の基準データとを用意する必要がある。
【０１７７】
・上記第１の実施形態において、２枚のドア１１が異なるタイミングで開閉することがある自動ドア１０では、投影データの切り出される領域が、１つの基準データにおいて左側のドア１１用と右側のドア１１用とで別々に設定されてもよい。また、設定部２３が左側のドア１１用の投影データと、右側のドア１１用の投影データとを予め別々に保持し、各ドア１１の移動に合わせて画像を設定してもよい。
【０１７８】
・上記第２の実施形態において、センサ１６は、ドア１１の開閉のみに用いる通常の範囲よりも広い範囲において物体の状態を検出可能なセンサを使用してもよい。例えば、超音波センサ等を用いて、ドア１１の表面の画像を視認することができる範囲の通行者Ｈに対してドア１１の表面の画像を変更することで興味を持たせることができるようになる。
【０１７９】
・上記第５の実施形態では、通行者Ｈに服を装飾した画像データを合成したが、服に限らず、通行者Ｈに靴、帽子、鞄や、髪型等を装飾した画像データを合成してもよい。また、例えば、パートナーを紹介するところでは、通行者の隣にパートナーを配置した画像データを合成してもよい。
【０１８０】
・上記第５の実施形態において、通行者Ｈがドア１１の表面に沿って通過するようなときには、通行者Ｈの移動に伴って、ドア１１の表面に投影される画像データに含まれる通行者Ｈを同じように移動させてもよい。
【０１８１】
・上記第６の実施形態では、予め定められた動作と一致したらドア１１の開閉を許可したが、ドア１１の表面に投影された動作を通行者が同じように行ったらドア１１の開閉を許可してもよい。
【０１８２】
・上記第６の実施形態では、開閉許可部３２を備えて、通行者Ｈの動作が予め定められた動作と一致したときにドア１１の開閉を許可したが、通行者Ｈのドア１１に対する動作に応じた画像を投影させ、ドア１１の開閉には用いないようにして、開閉許可部３２を省略してもよい。
【０１８３】
・上記第６の実施形態では、予め定められた動作を通行者が行うようにしたが、ドア１１の表面にゲーム等の画像を投影して、通行者がゲームを楽しめるようにしてもよい。
・上記第６の実施形態では、動作検出部３０が通行者によるタッチ操作を検出するセンサとしたが、動作検出部３０が通行者の動作そのものを検出するセンサとしてもよい。
【０１８４】
・上記第７の実施形態では、例えばお買得な商品の情報を送信部３３から携帯端末５０に送信したが、商品の割引クーポン等の情報を送信部３３から携帯端末５０に送信してもよい。
【０１８５】
・上記第７の実施形態では、送信部３３が例えばＵＨＦ帯の無線通信を用いて単方向としたが、無線ＬＡＮや携帯電話通信網等を利用してもよい。この場合は、双方向の通信となるので、送信部３３を、送受信機能を有する通信部とする。
【０１８６】
・上記第７の実施形態では、記憶メディアからリーダである外部接続部３４によってデータを読み出したが、外部接続部３４をネットワークに接続されるネットワーク接続部としてネットワークを介して情報を取得してもよい。
【０１８７】
・上記第７，８の実施形態における携帯端末５０は、携帯電話であってもよい。
・上記第７の実施形態において、携帯端末５０をＲＦＩＤタグとして、送信部３３を受信部に替えて、ＲＦＩＤタグからＩＤ情報を投影装置２０が取得して、取得したＩＤ情報を有するＲＦＩＤタグにドア１１の表面に投影していた情報を付与したこととしてもよい。この場合、ＲＦＩＤタグを保持する通行者は、別の情報端末にＲＦＩＤタグのＩＤ情報を提供することで、投影装置２０から付与された情報を別の情報端末上で確認する。
【０１８８】
・上記第８の実施形態では、通信部３６が例えばＵＨＦ帯の無線通信を用いて単方向としたが、無線ＬＡＮや携帯電話通信網等を利用してもよい。
・上記第８の実施形態において、携帯端末５０をＲＦＩＤタグとしてもよい。
【０１８９】
・上記第９の実施形態では、撮影された通行者Ｈの外観として色情報を使用したが、色だけでなく、通行者Ｈの外観として柄情報等の他の情報を使用してもよい。また、通行者Ｈの外観に対するドア１１の画像を複数設定しておいてドア１１に投影させるようにしてもよい。このようにすれば、通行者Ｈにはわからずに、通行者Ｈの外観を店員等の第３者が把握することができるようになる。
【０１９０】
・上記各実施形態において、図３７に示すように、第１変更部２６が、通行者Ｈ等の物体がドア１１に近づいたことを状態検出部２５が検出したときに、ドア１１の面のうち通行者Ｈ等の物体と対向する領域に投影される像の一部を投影している状態の第７画像Ｐ１２７（図３７（ａ））から投影される像の一部を投影していない状態の第８画像Ｐ１２８（図３７（ｂ））に変更させてもよい。このようにすれば、通行者Ｈ等の物体がドア１１に近づいたときに、ドア１１の面に投影される像によって前方が見え難くなるが、ドア１１の一部の像が投影されないので、ドア１１の向こう側が視認でき、ひいては反対側から来る通行者Ｈを視認することができる。また、ドア１１における通行者の前方に位置する一部の像を、投影している状態から徐々に投影していない状態に変更してもよい。
【０１９１】
・上記各実施形態において、図３８に示すように、第１変更部２６が、状態検出部２５によって通行者Ｈ等の物体がドア１１及びフィックス１２の少なくとも一方に近づいたことを検出したときに、ドア１１及びフィックス１２の少なくとも一方に投影される第７画像Ｐ１２７（図３８（ａ））を、注意を促す像を含む第９画像Ｐ１２９（図３８（ｂ））に変更させてもよい。注意を促す像は、「注意」等の文字やマークを含む。このようにすれば、通行者Ｈ等の物体がドア１１やフィックス１２に近づいたときに、ドア１１の面に注意を促す像に変更される。このため、投影された像によってドア１１やフィックス１２に引き付けられたときに、通行者Ｈがドア１１やフィックス１２に触ろうとして、移動したドア１１と衝突することを抑制することができる。
【０１９２】
・上記各実施形態において、図３９に示すように、投影部２１がドア１１及びフィックス１２の少なくとも一方に接する床６０にさらに像を投影し、状態検出部２５によって通行者Ｈ等の物体がドア１１及びフィックス１２の少なくとも一方に近づいたことを検出したときに、設定部２３が注意を促す像の投影される位置に床６０を設定してもよい。すなわち、設定部２３が注意を促す像の投影される位置を床６０に設定する。第１変更部２６は、床６０に注意を促す像を投影していない状態（図３９（ａ））から床６０に注意を促す像Ｐ１３０を投影した状態（図３９（ｂ））に変更する。注意を促す像は、「注意」等の文字やマークを含む。このようにすれば、通行者Ｈ等の物体がドアやフィックスに近づいたときに、床６０に注意を促す像が投影される。このため、投影された像によってドア１１やフィックス１２に引き付けられたときに、通行者Ｈがドア１１やフィックス１２に触ろうとして、移動したドア１１と衝突することを抑制することができる。
【０１９３】
・上記各実施形態では、ドア１１が開いてドア１１が存在しなくなった通路部分に暗像からなる通路用画像Ｐｃを投影したが、投影部２１の設置位置を変更したり、投影方法を変更したりすることにより、眩しさを軽減することができれば、ドア１１が開いてドア１１が存在しなくなった通路部分に暗像ではない画像を投影してもよい。
【０１９４】
・上記各実施形態において、図４０に示すように、投影部２１がドア１１及びドア１１の周辺に明像を投影してもよい。すなわち、ドア１１及びフィックス１２に加えて、床６０、壁６１、及び天井６２に明像を投影する。このようにすれば、ドア１１及びドア１１の周辺に明像が投影されるので、迫力ある像を通行者等に見せることができる。
【０１９５】
・上記各実施形態では、１個の投影部２１からドア１１及びフィックス１２に像を投影したが、図４１に示すように、複数の投影部２１からドア１１及びフィックス１２に像を投影して、投影した像を連動させてもよい。この投影部２１は、近距離に像を投影できる短焦点タイプの投影装置が望ましい。このようにすれば、複数の投影部２１から連動した像が投影されるので、連動した二つ以上の情報を通行者に見せることができる。
【０１９６】
・また、図４２に示すように、ドア１１とフィックス１２とを備えた自動ドアシステムが前後に並んだ建物において、複数の投影部２１によってそれぞれのドア１１とフィックス１２とに像を投影してもよい。例えば、外側寄りのドア１１及びフィックス１２にはそれぞれに対応する第２の投影部２１ｙが天井に４個設置されている。これら第２の投影部２１ｙから投影された像は繋がった像であることが望ましい。また、内側寄りのドア１１及びフィックス１２には第１の投影部２１ｘが天井に１個設置されている。外側寄りのドア１１及びフィックス１２に投影される像の動きと、内側寄りのドア１１及びフィックス１２に投影される像の動きとが連動するように設定部２３が各投影部２１ｘ，２１ｙの駆動を設定することが望ましい。なお、第１の投影部２１ｘ及び第２の投影部２１ｙと、ドア１１及びフィックス１２との組み合わせを逆の組み合わせにしてもよい。
【０１９７】
・また、図４３に示すように、ドア１１とフィックス１２とを備えた自動ドアシステムが前後に並んだ建物において、複数の投影部２１によってそれぞれのドア１１とフィックス１２とに像を投影してもよい。例えば、外側寄りのドア１１及びフィックス１２には第２の投影部２１ｙが天井に２個設置されている。これら第２の投影部２１ｙは、ドア１１及びフィックス１２の１組毎に像を投影する。これら第２の投影部２１ｙから投影された像は繋がった像であることが望ましい。また、内側寄りのドア１１及びフィックス１２には第１の投影部２１ｘが天井に１個設置されている。外側寄りのドア１１及びフィックス１２に投影される像の動きと、内側寄りのドア１１及びフィックス１２に投影される像の動きとが連動するように設定部２３が各投影部２１ｘ，２１ｙの駆動を設定することが望ましい。なお、第１の投影部２１ｘ及び第２の投影部２１ｙと、ドア１１及びフィックス１２との組み合わせを逆の組み合わせにしてもよい。
【０１９８】
・また、図４４に示すように、複数の投影部２１によってドア１１とフィックス１２とに像を投影してもよい。例えば、ドア１１及びフィックス１２の全体に像を投影する第１の投影部２１ｘが天井のドア１１及びフィックス１２から離れた位置に設置され、ドア１１及びフィックス１２のそれぞれに対応する第２の投影部２１ｙが天井のドア１１及びフィックス１２の直近に４個設置されている。これら第２の投影部２１ｙから投影された像は繋がった像であることが望ましい。ドア１１及びフィックス１２の全体に投影される像の動きと、ドア１１及びフィックス１２にそれぞれ投影される像の動きとが連動するように設定部２３が各投影部２１ｘ，２１ｙの駆動を設定することが望ましい。
【０１９９】
・上記各実施形態を適宜組み合わせて実施してもよい。また、各実施形態の構成を併せ持った投影装置２０としてもよい。このようにすれば、ドア１１を用いる人が投影させたい内容に合わせてドアの表面に投影される像を変更することができるようになり、自動ドアと接する物体としての人等に様々な表示を提供することができる。
【０２００】
・上記各実施形態において、ドア１１及びフィックス１２がガラスによって構成されているときには、投影部２１から像が投射される側の面又は反対側の面に、投影された像を投影するシートやフィルムを貼り付けてもよい。このようにすれば、投影された像をはっきりと視認することができるようになる。
【０２０１】
・上記各実施形態では、投影装置２０によってドア１１の表面に像を投影したが、ドア１１の外面に相当する面である表面だけでなく、投影装置２０によってドアの内面に像を投影してもよい。例えば、合わせガラス等からなるドアであって、ガラス等の間に像を投影することができる材質を有するドアを採用することで、内面に像を投影することができる。また、投影装置２０によってドアの外面だけでなく内面も含めた面に像を投影してもよい。例えば、ドアを構成するガラスや樹脂等に像を投影することができる材質を含むドアを採用することで、外面だけでなく内面も含めた面に像を投影することができる。
【０２０２】
・上記各実施形態では、自動ドア１０に投影装置２０を設置したが、自動ではなく手動で開閉されるドアに投影装置を設置してもよい。このようにしても、ドアの移動に連動または追従してドアに画像を表示し続けることができる投影装置をドアに容易に設置することができる。
【０２０３】
前述した実施形態の投影装置及び自動ドアシステムは、少なくとも一つのメモリと、当該メモリにアクセス可能な一または複数のプロセッサとを含むことができる。当該少なくとも一つのメモリは、一または複数のプロセッサが実行したときに、前述した実施形態で説明した機能、方法、または構成を実現するように構成されたコンピュータ実行可能命令を含むことができる。例えば、制御装置２２及びドア制御部１４は、各々がメモリとプロセッサとを含む複数の個別コンピュータによって実現されてもよく、単一のコンピュータによって実現されてもよい。したがって、本発明は、前述した実施形態で説明した機能、方法、または構成を実現するように構成されたコンピュータ実行可能命令を格納したコンピュータ読取可能記録媒体（非一時的媒体ともいう）を含む。当該コンピュータ可読媒体は、一または複数のコンピュータプロセッサがアクセスできる任意の媒体であってよく、例えば、ＲＡＭ、ＲＯＭ、ＥＥＰＲＯＭ、ＣＤ−ＲＯＭまたは他の光ディスクストレージ、磁気ディスクストレージまたは他の磁気記憶装置、及びそれらの任意の組み合わせを含むことができる。
【０２０４】
本発明の主題は、上記した特定の実施形態の全ての特徴より少ない特徴に存在する可能性がある。本発明の範囲は、請求の範囲および等価物の全範囲と共に確定されるべきである。
【符号の説明】
【０２０５】
１０…自動ドア、１１…ドア、１１ａ…第１部、１１ｂ…第２部、１１ｃ…戸先縦かまち、１２…フィックス、１２ａ…第１フィックス部、１２ｂ…第２フィックス部、１２ｃ…方立、１３…ドア駆動部、１４…ドア制御部、１５…ドア位置検出部、１６…センサ、１７…ドア通信部、２０…投影装置、２１…投影部、２１ａ…投光部、２１ｂ…遮蔽部、２１ｘ…第１の投影部、２１ｙ…第２の投影部、２２…制御装置、２３…設定部、２４…投影側通信部、２５…状態検出部、２６…第１変更部、２７…撮影部、２８…生成部、３０…動作検出部、３１…第２変更部、３２…開閉許可部、３３…送信部、３４…外部接続部、３５…データ記憶部、３６…通信部、３７…第３変更部、３８…外観検出部、３９…第４変更部、４１…通過検知部、４２…切替部、４３…判断部、４４…経過時間検出部、４５…第５変更部、５０…携帯端末、６０…床、６１…壁、６２…天井、Ｃ…隙間、Ｈ…通行者、Ｐ…像、Ｒ…投射範囲。
【図１】
0006507227.tif 000002
【図２】
0006507227.tif 000003
【図３】
0006507227.tif 000004
【図４】
0006507227.tif 000005
【図５】
0006507227.tif 000006
【図６】
0006507227.tif 000007
【図７】
0006507227.tif 000008
【図８】
0006507227.tif 000009
【図９】
0006507227.tif 000010
【図１０】
0006507227.tif 000011
【図１１】
0006507227.tif 000012
【図１２】
0006507227.tif 000013
【図１３】
0006507227.tif 000014
【図１４】
0006507227.tif 000015
【図１５】
0006507227.tif 000016
【図１６】
0006507227.tif 000017
【図１７】
0006507227.tif 000018
【図１８】
0006507227.tif 000019
【図１９】
0006507227.tif 000020
【図２０】
0006507227.tif 000021
【図２１】
0006507227.tif 000022
【図２２】
0006507227.tif 000023
【図２３】
0006507227.tif 000024
【図２４】
0006507227.tif 000025
【図２５】
0006507227.tif 000026
【図２６】
0006507227.tif 000027
【図２７】
0006507227.tif 000028
【図２８】
0006507227.tif 000029
【図２９】
0006507227.tif 000030
【図３０】
0006507227.tif 000031
【図３１】
0006507227.tif 000032
【図３２】
0006507227.tif 000033
【図３３】
0006507227.tif 000034
【図３４】
0006507227.tif 000035
【図３５】
0006507227.tif 000036
【図３６】
0006507227.tif 000037
【図３７】
0006507227.tif 000038
【図３８】
0006507227.tif 000039
【図３９】
0006507227.tif 000040
【図４０】
0006507227.tif 000041
【図４１】
0006507227.tif 000042
【図４２】
0006507227.tif 000043
【図４３】
0006507227.tif 000044
【図４４】
0006507227.tif 000045